(57)【要約】  広告主が定めた広告キャンペーン情報のグループを表示するためユーザインタフェースを作成し提供するためのシステム及び方法が開示される。一般に、広告キャンペーン情報は、１つ又はそれ以上の広告グループに編成される。広告グループは通常、同様の方式で広告キャンペーン管理システムによって処理されることになる広告及び広告のパラメータを含む。次いで、広告キャンペーン情報の少なくとも一部が、１つ又はそれ以上の広告グループの少なくとも１つに少なくとも部分的に基づいて表示される。１つの実施形態では、広告キャンペーン情報の一部が、インターネットブラウザ上で動作するグラフィカルユーザインタフェース内で表示される。別の実施形態では、広告キャンペーン情報の一部は、ユーザデバイス上で動作するスタンドアロン・アプリケーション内で表示される。【選択図】図３
2009503689.tif 000002
【特許請求の範囲】
【請求項１】
広告キャンペーン情報の表示を可能にするための方法であって、
広告キャンペーン情報を１つ又はそれ以上の広告グループに編成する段階と、
前記広告キャンペーン情報の少なくとも一部を前記１つ又はそれ以上の広告グループの少なくとも１つに少なくとも部分的に基づいて表示するため前記広告キャンペーン情報の少なくとも一部をユーザインタフェースに送る段階と、
を含む方法。
【請求項２】
前記１つ又はそれ以上の広告グループの少なくとも１つが、広告主がカスタマイズし且つ定めた広告キャンペーンデータのグループを含む、ことを特徴とする請求項１に記載の方法。
【請求項３】
前記１つ又はそれ以上の広告グループの少なくとも１つに少なくとも部分的に基づくことは、前記１つ又はそれ以上の広告グループの少なくとも１つに少なくとも部分的に配置されることを含む、
ことを特徴とする請求項１に記載の方法。
【請求項４】
前記１つ又はそれ以上の広告グループの少なくとも１つが、同様の方式で広告キャンペーン管理システムによって処理される広告及び広告のパラメータを含む、
ことを特徴とする請求項１に記載の方法。
【請求項５】
前記１つ又はそれ以上の広告グループの少なくとも１つが、あるデモグラフィックグループを対象とした広告及び広告のパラメータを含む、
ことを特徴とする請求項１に記載の方法。
【請求項６】
前記デモグラフィックグループは、インターネット検索を行うユーザの性別を含む、
ことを特徴とする請求項５に記載の方法。
【請求項７】
前記デモグラフィックグループは、インターネット検索を行うユーザの地理的位置を含む、
ことを特徴とする請求項５に記載の方法。
【請求項８】
前記デモグラフィックグループは、インターネット検索を行うユーザの所得レベルを含む、
ことを特徴とする請求項５に記載の方法。
【請求項９】
前記デモグラフィックグループは、インターネット検索を行うユーザの年齢を含む、
ことを特徴とする請求項５に記載の方法。
【請求項１０】
前記１つ又はそれ以上の広告グループの少なくとも１つが、製品のファミリーを対象とした広告及び広告のパラメータを含む、
ことを特徴とする請求項１に記載の方法。
【請求項１１】
前記１つ又はそれ以上の広告グループの少なくとも１つが、前記同じ検索戦術を有する広告及び広告のパラメータを含む、
ことを特徴とする請求項１に記載の方法。
【請求項１２】
前記検索戦術が、スポンサード検索を含む、
ことを特徴とする請求項１１に記載の方法。
【請求項１３】
前記検索戦術が、コンテンツマッチを含む、
ことを特徴とする請求項１１に記載の方法。
【請求項１４】
前記１つ又はそれ以上の広告グループの少なくとも１つに少なくとも部分的に基づいて表示するため、ユーザインタフェースに前記広告キャンペーン情報の少なくとも一部を送る段階が、前記表示される広告グループに関連した複数のパラメータを含む前記１つ又はそれ以上の広告グループのうちの１つの広告グループの要約を前記ユーザに送る段階を含む、
ことを特徴とする請求項１に記載の方法。
【請求項１５】
前記１つ又はそれ以上の広告グループの少なくとも１つに少なくとも部分的に基づいて表示するため、ユーザインタフェースに前記広告キャンペーン情報の少なくとも一部を送る段階が、ある時間期間にわたって前記１つ又はそれ以上の広告グループの１つに関連したパラメータのグラフ表示を前記ユーザに送る段階を含む、
ことを特徴とする請求項１に記載の方法。
【請求項１６】
前記広告キャンペーン情報を１つ又はそれ以上の広告グループに編成する段階が、前記広告キャンペーン情報を１つ又はそれ以上の広告グループに編成する方法を定めるコマンドをユーザから受け取る段階を含む、
ことを特徴とする請求項１に記載の方法。
【請求項１７】
前記広告キャンペーン情報の少なくとも一部が、グラフィカルユーザインタフェースでユーザに表示される、
ことを特徴とする請求項１に記載の方法。
【請求項１８】
前記グラフィカルユーザインタフェースが、インターネットブラウザ内に表示される、
ことを特徴とする請求項１７に記載の方法。
【請求項１９】
前記グラフィカルユーザインタフェースが、スタンドアロン・アプリケーション内に表示される、
ことを特徴とする請求項１７に記載の方法。
【請求項２０】
広告キャンペーン情報の表示を可能にするためのシステムであって、
広告キャンペーン情報を１つ又はそれ以上の広告グループに編成する手段と、
前記１つ又はそれ以上の広告グループの少なくとも１つに少なくとも部分的に基づいて前記広告キャンペーン情報の少なくとも一部を表示するように動作可能なユーザインタフェースに前記広告キャンペーン情報の少なくとも一部を送る手段と、
を含むシステム。
【請求項２１】
前記１つ又はそれ以上の広告グループの少なくとも１つが、広告主がカスタマイズし且つ定めた広告キャンペーン情報のグループを含む、
ことを特徴とする請求項２０に記載のシステム。
【請求項２２】
前記１つ又はそれ以上の広告グループの少なくとも１つに少なくとも部分的に基づくことが、前記１つ又はそれ以上の広告グループの少なくとも１つに少なくとも部分的に配置されることを含む、
ことを特徴とする請求項２０に記載のシステム。
【請求項２３】
前記１つ又はそれ以上の広告グループの少なくとも１つが、同様の方式で広告キャンペーン管理システムによって処理される広告及び広告のパラメータを含む、
ことを特徴とする請求項２０に記載のシステム。
【請求項２４】
広告キャンペーン情報の表示を可能にするための命令のセットを含むコンピュータ可読記憶媒体であって、
前記命令のセットが、
広告キャンペーン情報を１つ又はそれ以上の広告グループに編成する動作と、
前記１つ又はそれ以上の広告グループの少なくとも１つに少なくとも部分的に基づいて表示するように前記広告キャンペーン情報の少なくとも一部をユーザインタフェースに送る動作と、
を実行するようにコンピュータシステムに指示する、
ことを特徴とするコンピュータ可読記憶媒体。
【請求項２５】
前記１つ又はそれ以上の広告グループの少なくとも１つが、広告主がカスタマイズし且つ定めた広告キャンペーン情報のグループを含む、
ことを特徴とする請求項２４に記載のコンピュータ可読記憶媒体。
【請求項２６】
前記１つ又はそれ以上の広告グループの少なくとも１つは、同様の方式で広告キャンペーン管理システムによって処理される広告及び広告のパラメータを含む、
ことを特徴とする請求項２４に記載のコンピュータ可読記憶媒体。
【請求項２７】
前記１つ又はそれ以上の広告グループの少なくとも１つに少なくとも部分的に基づいて表示するためユーザインタフェースに前記広告キャンペーン情報の少なくとも一部を送る段階が、
前記表示される広告グループに関連した複数のパラメータを含む前記１つ又はそれ以上の広告グループのうちの１つの広告グループの要約を前記ユーザに送る段階と、
ある時間期間にわたって前記１つ又はそれ以上の広告グループの１つに関連したパラメータのグラフ表示を前記ユーザに送る段階と、
を含む、
ことを特徴とする請求項２４に記載のコンピュータ可読記憶媒体。
【請求項２８】
前記広告キャンペーン情報を１つ又はそれ以上の広告グループに編成する段階が、前記広告キャンペーン情報を１つ又はそれ以上の広告グループに編成する方法を定めるコマンドをユーザから受け取る段階を含む、
ことを特徴とする請求項２４に記載のコンピュータ可読記憶媒体。
【請求項２９】
前記広告キャンペーン情報の少なくとも一部が、グラフィカルユーザインタフェースでユーザに表示される、
ことを特徴とする請求項２４に記載のコンピュータ可読記憶媒体。
【請求項３０】
前記グラフィカルユーザインタフェースが、インターネットブラウザ内に表示される、
ことを特徴とする請求項２９に記載のコンピュータ可読記憶媒体。
【請求項３１】
前記グラフィカルユーザインタフェースが、スタンドアロン・アプリケーション内に表示される、
ことを特徴とする請求項２９に記載のコンピュータ可読記憶媒体。
【請求項３２】
広告キャンペーン管理システムのアプリケーションプログラムインタフェース（「ＡＰＩ」）であって、
前記ＡＰＩが、前記広告キャンペーン管理システムとユーザデバイス上で動作するアプリケーションと間のネットワークを通じた通信を可能にするように動作可能であり、
前記ＡＰＩが、前記ユーザデバイス上で動作する前記アプリケーションから要求を受け取り、前記広告キャンペーン管理システムに記憶された１つ又はそれ以上の広告グループに編成された広告キャンペーン情報にアクセスする、
ことを特徴とするＡＰＩ。
【発明の詳細な説明】
【発明の詳細な説明】
【０００１】
（関連出願）
本特許文献は、その全体が引用により本明細書に組み込まれる２００５年７月２９日に出願された暫定米国特許出願シリアル番号６０／７０３，９０４の米国特許法１１９条に基づく出願日の利益を主張する。
【０００２】
（技術分野）
Ｙａｈｏｏ！サーチマーケティングなどのオンライン広告サービスプロバイダに広告を載せるユーザは通常、広告サービスプロバイダの広告管理システムに対するスプレッドシートアップロード／ダウンロード機能、ユーザインタフェース、又はアプリケーションプログラムインタフェース（「ＡＰＩ」）を使用することによって、様々なタイプのオンライン広告を管理する。従来、ユーザは、自分のアカウントから広告の追加、編集、又は削除、或いは予算パラメータ又はパフォーマンスパラメータなどの広告に関連する種々のパラメータの修正といったオペレーションをユーザインタフェース又はＡＰＩを用いて実行することができていた。
【０００３】
（背景技術）
オンライン広告サービスプロバイダに対する現在のユーザインタフェース及びＡＰＩは通常、ユーザが個々の広告に関連するパラメータを修正すること、或いは広告サービスプロバイダによってグループ化された広告に関連するパラメータを修正することを可能にする。オンライン広告が普及するにつれて、ユーザは、常に数千の広告を管理することが必要な場合がある。データがオンライン広告及びデータ処理の結果を定める場合、インターネット上で利用可能な情報の量により、データベース内に記憶されているデータを管理しようとするオンライン広告主に技術上の多くの問題が生じる。従って、広告サービスプロバイダではなく広告主が定める広告の大きなグループをフレキシブルに、動的で、効率良くユーザが管理できるようにする、広告キャンペーン管理システムに対するユーザインタフェース及びＡＰＩを提供することが望ましい。
【０００４】
（発明を実施するための最良の形態）
図１及び図２に関して記載される広告キャンペーン管理システム、図３−３１に関して記載されるグラフィカルユーザインタフェース、及び図３２−４４に関して記載されるシステム及び方法は、広告の大きなグループをフレキシブルに、動的で、効率良く管理する機能をユーザ及び機械に与える、広告キャペーン管理システムに対するユーザインタフェース及びアプリケーションプログラムインタフェース（「ＡＰＩ」）を提供する。広告キャンペーン情報をユーザアカウントレベル又は個々の広告レベルで管理する機能のみを提供する広告キャンペーン管理システムに対するインタフェースとは対照的に、開示される広告キャンペーン管理システムは、広告キャンペーン情報をユーザによって定められたレベルで管理する機能を提供する。ユーザには、同様の方式で広告キャンペーン管理システムによって処理される広告に対し広告キャンペーン情報のユーザ固有のグループ（広告グループ）を定める機能が与えられる。例えば、ユーザは、検索戦術、パフォーマンスパラメータ、ユーザのデモグラフィック、製品のファミリー、又はユーザによって要求される他のほとんどのパラメータによって広告をグループ化することができる。ユーザがその固有の広告グループを定めることができることにより、広告キャンペーン管理システムは、ユーザに対してより有用な情報を提供することができ、これによってユーザは、個々の広告主に最も適した方式で広告キャンペーン情報を表示、管理、最適化、又はそのレポートをビューすることができる。
【０００５】
図１は、広告（「ａｄ」）キャンペーン管理システムのポッドの１つの実施形態を示している。ポッド１００は、広告及び広告キャンペーンのプランニング、管理、最適化、配信、通信、及び実装を可能にすると共に、ユーザアカウントを記憶し管理するための複数のソフトウェアコンポーネント及びデータを含む。１つの実施形態では、ポッド１００は、ユーザアカウント情報を記憶するキャンペーンデータ記憶部（「ＣＤＳ」）１０５を含む。アプリケーションプログラムインタフェース（「ＡＰＩ」）１１０及びユーザインタフェース（「ＵＩ」）１１５は、キャンペーンデータ記憶部１０５からデータを読み取り、キャンペーンデータ記憶部１０５にデータを書き込むのに使用される。内部ＡＰＩ１３０は、ＡＰＩとＵＩとの間の共有コード及び共有機能を提供すると同時に、キャンペーンデータ記憶部１０５とのインタフェース接続を可能にする。キーワード提案コンポーネント１２０は、利用可能な検索語を検索する際にユーザをアシストすることができる。編集処理システム（「ＥＰＳ」）１２５は、全ての新しい広告のコンテンツをレビューするために備えることができる。ポッド収集サーバ（「ＰＣＳ」）１３５は、収集された広告キャンペーン・パフォーマンスデータがどのポッドに行くべきか決定する。スクリプトサーバ１４０は、顧客ブラウジングセッションを示すデータを収集するためのスクリプトを提供する。イメージサーバ１４５は、顧客ブラウジングセッションを示すデータを顧客ウェブブラウザから受け取り処理する。
【０００６】
ポッドは更に、１つ又はそれ以上の広告チャンネルからデータを受け取るように動作可能なチャンネルサーバ１５０を更に含むことができる。ビジネス情報グループ（「ＢＩＧ」）１５５は、チャンネルサーバ１５０を介して広告チャンネルから入ってくる生のクリックデータの分析及びフィルタリングを行うことができる。アカウントモニタリングコンポーネント１６０は、各広告キャンペーンに割り当てられた予算をモニタする。財務コンポーネント１６５は、広告キャンペーン費用のプランニング及び予算計上のために設けることができる。重みオプティマイザ１７０は、個々の広告パフォーマンスを最適化するように動作可能である。キャンペーンオプティマイザ１７５は、広告キャンペーンのパフォーマンスを最適化するために設けることができる。サードパーティ分析フィードコンポーネント１８０は、サードパーティのソースから入ってくる広告パフォーマンスデータを処理するために設けられる。品質スコアコンポーネント１８５は、個々の広告パフォーマンスを測定するための更に別のメトリクスを提供する。予想コンポーネント１９０は、キーワードトレンドを予測するための分析ツールである。最後に、オンラインサインアップ（「ＯＬＳ」）コンポーネント１９５は、為替を含むオンライントランザクションのための強化されたセキュリティサービスを提供する。
【０００７】
ＣＤＳ１０５は、ポッド１００のメインデータ記憶部である。１つの実施形態では、ＣＤＳ１０５は、アカウントアクセス及び許可リストを含む広告キャンペーンアカウントデータ、ユーザ情報、広告、顧客ブラウジングセッションを示す広告主ウェブサイトから収集されたデータ、広告チャンネルから受け取られた生のクリックデータ、サードパーティ分析フィード、システムによって生成された広告キャンペーン・パフォーマンスデータ、予算及びビジネス規則を含む広告キャンペーン最適化データ、その他を記憶する。本発明の種々の実施形態では、ＣＤＳ１０５は、図２に示され且つ以下に更に詳細に説明されるような１つ又はそれ以上のアカウントデータ構造を記憶する。
【０００８】
ＣＤＳ１０５のデータは、関係フォーマット又はフラットファイルフォーマットなどの種々のフォーマットに従って記憶及びアクセスすることができる。ＣＤＳ１０５は、例えばＳＱＬベース及びオブジェクトベースなどの種々の公知のデータベース管理技術を使用して管理することができる。物理レベルでは、ＣＤＳ１０５は、磁気、光学、又はテープドライブの１つ又はそれ以上の組合せを使用して実装される。更に、本発明の１つの実施形態では、ＣＤＳ１０５は、ＣＤＳ１０５のダウンタイム中にポッド１００に供するのに使用することができる１つ又はそれ以上のバックアップデータベースを有する。
【０００９】
１つの実施形態では、ポッド１００は、広告主及び代理店などのシステムユーザによって利用される１つ又はそれ以上のＡＰＩ１１０及びＵＩ１１５を公開し、キャンペーンデータ記憶部１０５からのデータの読み取り及びキャンペーンデータ記憶部１０５へのデータの書き込みを行うために、広告キャンペーン管理システムのサービスにアクセスする。ＡＰＩ１１０及びＵＩ１１５は、その全体が引用により本明細書に組み込まれる２００５年１２月３０日に出願された名称「Ｓｙｓｔｅｍ  ａｎｄ  Ｍｅｔｈｏｄ  ｆｏｒ  Ａｄｖｅｒｔｉｓｅｍｅｎｔ  Ｍａｎａｇｅｍｅｎｔ（広告管理のためのシステム及び方法）」の米国特許出願第１１／３２４，１２９号に詳細に説明されているディストロ構成要素によって提供することができる。広告主及びその代理店は、１つの実施形態ではＸＭＬベースのＡＰＩを含むＡＰＩ１１０を使用し、広告キャンペーン管理システム及びこれに含まれるデータへのアクセスを可能にすることができる。１つの実施形態では、ＵＩ１１５は、広告キャンペーン管理システムへのユーザのアクセスを可能にするウェブサイト又はウェブアプリケーションを含む。ポッド１００は、ＡＰＩ１１０とＵＩ１１５との間の共有コード及び機能である内部ＡＰＩ１３０を利用して、キャンペーンデータ記憶部１０５との対話を可能にする。
【００１０】
幾つかの実施形態によれば、上述のユーザ及びアプリケーションプログラムインタフェースは、限定ではないが、オークションベースの検索語関連のスポンサード検索結果リスティングマーケットプレイスに関連したリスティングの管理を含む、広告キャンペーンの管理及び最適化を可能にするのに使用される。例えば、広告主は、これらのインタフェースを使用して、広告キャンペーンデータ記憶部１０５にセーブされている広告キャンペーン情報及び広告キャンペーン・パフォーマンス情報にアクセスし、情報を検索し、情報を分析し、レポート、要約、その他を取得する。広告主はまた、これらのインタフェースを使用してリスティング又は入札戦略を変更することができ、この変更は、キャンペーンデータ記憶部１０５において更新される。更に、これらのインタフェースを用いて、特定のリスティング、検索語、クリエイティブ、チャンネル、戦術、その他のパフォーマンスなど、広告キャンペーンのコンポーネントのパフォーマンスの比較を行うことができる。
【００１１】
ポッドのアプリケーションプログラムインタフェースの機能及び使用は、オークションベースの検索語に関連したスポンサードリスティングのコンテキストに関して説明されているが、実施形態によっては、これらのインタフェースは、オフライン又は非スポンサード検索広告キャンペーン及び広告キャンペーン・パフォーマンス、或いはオンライン及びオフライン広告キャンペーン情報の組合せに関しても同様に使用できる点を理解されたい。
【００１２】
キーワード提案コンポーネント１２０は、ユーザによって提供されたシード語又は統一資源位置指定子（「ＵＲＬ」）に基づいて広告キャンペーン管理によりユーザをアシストするために、インタフェース１１０、１１５を介したキーワード提案を可能にする。本発明の１つの実施形態では、キーワード提案コンポーネント１２０は、ユーザが利用可能な検索語を検索するのを助ける。上述のように、オークションベースのシステム又はマーケットプレイスでは、顧客が検索で使用する検索語又は用語のグループに対して広告主が入札することにより、広告リスティング又は検索結果間のリンクが表示されることになる。キーワード提案コンポーネント１２０は、入札すべき用語に関して広告主に対し提案を行う。１つの実施形態では、キーワード提案コンポーネント１２０は、最終月に行われた実際の検索を調べて、以前の検索に基づいて提案することができる。別の実施形態では、キーワード提案コンポーネント１２０は、類似の製品又はサービスの他の広告主が入札している用語を調べて、これらの用語を広告主に提案することができる。更に別の実施形態では、キーワード提案コンポーネント１２０は、類似の製品又はサービスを購入した顧客がその検索で使用する用語を決定し、これらの用語を広告主に提案することができる。別の実施形態では、キーワード提案コンポーネント１２０は、製品及びサービスの幾つかのカテゴリーに分割された用語のテーブルを維持し、これによって広告主は利用可能な用語をブラウズして選ぶことができる。他の実施形態では、キーワード提案コンポーネント１２０は、広告された製品及びサービスが固有のものである場合、広告主に新しい用語を提案するなど、用語選択プロセスにおいて広告主をアシストする他の技術を使用することができる。
【００１３】
編集処理システム（ＥＰＳ）１２５は、オークションにリスティングが参加することができる前に、広告主のリスティングの妥当性を保証し、リスクを軽減する。一般に、ＥＰＳ１２５は、新しい広告又は改訂された広告をレビューする。１つの実施形態では、ＥＰＳ１２５は、広告主のリスティングの正確さ及び妥当性を判断するビジネス規則のセットを適用する。これらの規則は、ＥＰＳ１２５によって自動的に、或いは人間の編集レビューによって適用することができる。ＥＰＳ１２５は、例えば、広告主のリスティングにおける不適切なコンテンツ、又は不法使用の商標用語を検出することができる。１つの実施形態では、ＥＰＳ１２５は、拒否された変更、承認された変更、提案されたが拒否された変更、その他などの注釈で応答する。
【００１４】
１つの実施形態では、ＥＰＳ１２５は、クイックチェックコンポーネントを含むことができる。クイックチェックコンポーネントは、予備チェック又は「クイックチェック」を行い、人間の編集者に提出されてキャンペーンデータ記憶部１０５内に記憶される前に、広告を受け付けるか拒否するかを自動的に判断する。１つの実施形態では、ＡＰＩ１１０又はＵＩ１１５のいずれかがクイックチェックコンポーネントサービスを呼び出し、これによって広告主は、インスタントフィードバックを受け取ることができるようになる。例えば、提出された広告における「ベスト」などの禁止された単語の使用をクイックチェックコンポーネントによって迅速に検出することができ、人間の編集レビューが不要になる。対照的に、ギャンブル、アダルトサービス、その他などの単語が使用された場合、当該広告に徹底した編集レビューが必要であることをクイックチェックコンポーネントが判断することができる。クイックチェックコンポーネントの利点の１つは、広告主へのフィードバックを迅速に提供できることであり、これにより広告主はリスティングを直ちに改訂することが可能となり、従って、人間の編集者によるレビューを促進することができる。
【００１５】
再度図１を参照すると、１つの実施形態によれば、ポッド１００は、Ｇｏｏｇｌｅ．ｃｏｍ及びＭＳＮ．ｃｏｍなどの広告チャンネルから受け取られたデータを受信し処理するように動作可能なチャンネルサーバ１５０を更に含むことができる。このデータは、限定ではないが、顧客プロファイル、履歴ユーザ行動情報、生のインプレッション数、コスト、クリック数、その他を含むことができる。ユーザ情報の追加の説明及びその使用は、双方とも全体が引用により本明細書に組み込まれる、米国特許出願第６０／５４６，６９９号及び第１０／７８３，３８３号で見出すことができる。チャンネルサーバ１５０は更に、受け取られたデータを広告キャンペーン管理システムによってサポートされるフォーマットに再フォーマットし、再フォーマットされたデータをキャンペーンデータ記憶部１０５内に記憶するように動作可能である。
【００１６】
１つの実施形態では、ポッド１００は、ビジネス情報グループ（ＢＩＧ）コンポーネント１５５を更に含むことができる。ＢＩＧ１５５は、チャンネルサーバ１５０、ポッド収集サーバ１３５、及びサードパーティ分析フィードコンポーネント１８０を含む、種々のソースからポッド１００に入ってくるコストデータ、クリックデータ、及びインプレッションデータを受け取るように動作可能である。ＢＩＧ１５５は、このデータが正確でタイムリーな方式で確実に受け取られるようにする。１つの実施形態では、ＢＩＧ１５５はまた、ポッド１００に入ってくる生のデータインプレッション数及びクリック数の集計及びフィルタリングを実行することができる。ＢＩＧ１５５は更に、収集され処理されたデータをキャンペーンデータ記憶部１０５内に記憶するように動作可能にすることができる。他の実施形態では、ＢＩＧ１５５はまた、当業者に公知の教示に従って、ビジネスレポート及び財務予測の作成などの内部レポーティングを行うことができる。そのためには、１つの実施形態では、ＢＩＧ１５５は、以下でより詳細に説明されるアカウントモニタリングコンポーネント１６０と通信するように動作可能である。
【００１７】
１つの実施形態では、ポッド１００は、アカウントモニタリングコンポーネント１６０を更に含むことができる。このコンポーネント１６０は、予算計上及びキャンペーン資産割当を行うように動作可能である。例えば、アカウントモニタリングコンポーネント１６０は、所与の広告主のアカウントに幾らの金銭が残されているか、及び特定の広告キャンペーンに幾らの金銭を費やすことができるかを決定することができる。１つの実施形態では、アカウントモニタリングコンポーネント１６０は、予算計上機能を用いて効率的なキャンペーン資産割当を提供することができる。例えば、広告主は、１カ月の広告キャンペーン予算を５００ドルに設定することができる。アカウントモニタリングコンポーネント１６０は、当月の実際の支出を可能な限り５００ドルに近付けるようにする広告入札方式を実施することができる。アカウントモニタリングコンポーネント１６０によって利用される入札方式の１つの実施例は、広告主の入札を下げて広告主の広告が表示される頻度を少なくすることであり、これによって広告主の１月当たりに費やす額が低減され、これは動的に実行することができる。アカウントモニタリングコンポーネント１６０による予算計上の別の実施例は、広告主の入札を変えずに、広告が提供される割合を（例えば、提供される時間の何分の１）抑制することである（但し、前の実施例では、入札が変更されており、広告が提供された割合ではない）。抑制の別の実施例は、可能な限り頻繁に広告を提供せず、ローテーションに従って出すことである。
【００１８】
１つの実施形態では、ポッド１００は、広告キャンペーン費用をプランニング及び予算計上するための会計処理アプリケーションとすることができる財務コンポーネント１６５を更に含むことができる。財務コンポーネント１６５を使用して、広告主は、予算を指定しキャンペーン資産を割り当てることができる。財務コンポーネント１６５は、広告主に対してキャンペーン予算の分配を変更し種々のキャンペーン間で金銭を移動する機能を提供する。財務コンポーネント１６５はまた、アカウントの残高が幾らであるか及び特定の広告キャンペーンに幾ら費やすことができるかに関する情報を広告主に提示することができる。幾つかの実施形態では、財務コンポーネント１６５は更に、広告主に、広告キャンペーンの収益性、収入、及び支出に関する情報を提供するよう動作可能にすることができる。財務コンポーネント１６５は、例えば、Ｏｒａｃｌｅ  Ｃｏｒｐｏｒａｔｉｏｎ、ＳＡＰ  ＡＧ、Ｐｅｏｐｌｅｓｏｆｔ  Ｉｎｃ．，又は他のいずれかの財務ソフトウェア開発者が提供する１つ又はそれ以上の財務スーツを使用して実装することができる。
【００１９】
１つの実施形態では、ポッド１００は、オンラインサインアップ（ＯＬＳ）コンポーネント１９５を更に含むことができる。ＯＬＳコンポーネント１９５は、クレジットカード情報などのセキュア情報を交換できるセキュアオンラインサインアップ環境を広告主に提供するように動作可能にすることができる。広告主コンピュータとＯＬＳコンポーネント１９５との間のセキュア接続は、例えば、セキュアハイパーテキスト転送プロトコル（「ＳＨＴＴＰ」）、セキュアソケットレイヤ（「ＳＳＬ」）、又は他のいずれかの公開鍵暗号化技術を使用して設定することができる。
【００２０】
１つの実施形態では、ポッド１００は、広告クリック可能性スコア及び品質スコアなどの１つ又はそれ以上の値を計算する品質スコアコンポーネント１８５を更に含むことができる。広告クリック可能性スコアは、広告パフォーマンスパラメータの１つであり、その値は、広告サービスプロバイダが広告を提供する時間での広告の品質を表わす。広告クリック可能性スコアは、広告キャンペーン管理システムの内部にあり、通常は広告キャンペーン管理システムの外部には公開されない。品質スコアは、広告パフォーマンスパラメータの１つであり、これは、その広告キャンペーン管理システムから外部に公開され、広告チャンネル及び検索エンジンなどの検索サービスコンポーネントにより使用されて、表示された広告の相対的な品質に適格性を付与することができる。従って、品質スコアは、検索サービスコンポーネントによって計算され、本発明の１つの実施形態による品質スコアコンポーネント１８５を介して広告キャンペーン管理システムに供給される。幾つかの実施形態では、品質スコアは広告主に表示され、広告主が広告を改訂しその品質スコアを改善することができるようにする。例えば、広告が高品質スコアを有する場合、広告主は、広告を完全なものにしようとする金銭及び時間を費やさなくてよいことが分かる。しかしながら、広告が低品質スコアを有する場合、広告を改訂して広告の品質スコアを改善させることができる。
【００２１】
１つの実施形態では、ポッド１００は、キーワード選択によって広告主をアシストするための分析ツールである予想コンポーネント１９０を更に含む。幾つかの実施形態では、予想コンポーネントは、キーワードの傾向を予測し、広告の位置に基づいてビジタートラフィックの量を予想し、同時に幾つかの広告位置に対する入札値を推定するように動作可能である。
【００２２】
１つの実施形態では、予想コンポーネント１９０は、過去のパフォーマンスを分析するように動作可能であり、及び履歴データにおける検索語の傾向を発見するように動作可能である。例えば、「ｉＰｏｄ」という用語は、数年前には存在していなかったが、現在では極めて一般的な用語である。別の実施形態では、予想コンポーネント１９０が、特定の地域、例えばカリフォルニアで人気のある用語、或いは男性などの特定のデモグラフィックに人気のある用語を特定する予想段階を含むことができるマクロトレンドを実施する。更に別の実施形態では、予想コンポーネント１９０は、事象関連のマクロ及びマイクロトレンドを提供する。このような事象は、例えば、母の日、クリスマス、その他を含むことができる。例えば、母の日又はクリスマスに関連した用語に対して事象関連トレンドを実行するために、予想コンポーネント１９０は、花関連の用語又は包装紙用語に関する検索パターンを調べる。他の実施形態では、予想コンポーネント１９０は、履歴データを分析して、特定のランクを有する広告に対して期待できるインプレッション又はクリックの数を予測する。別の実施形態では、予想コンポーネント１９０は、広告を特定の位置に配置するのに必要な入札値を予測するように動作可能である。
【００２３】
１つの実施形態では、ポッド１００は、重みオプティマイザ１７０を更に含み、これは、本発明の幾つかの実施形態における広告キャンペーン管理システムによって提供することができる選択的な広告（「Ａ／Ｂ」）機能の一部として要素を交代させるために重み（相対的表示頻度）を調整することができる。Ａ／Ｂテスト機能によって、広告主は、広告の属性の複数の変種を指定することが可能となる。これらの要素は、クリエイティブ（タイトル、説明文、及び表示ＵＲＬ）、宛先（ランディングＵＲＬ）、及び場合によってはプロモーション及び表示価格などの他の要素を含むことができる。より詳細には、エンドユーザが検索を実行するときに、広告キャンペーン管理システムは、関連広告の可能な変種の１つをアセンブルし、これをエンドユーザに表示するための広告チャンネルに提供する。広告キャンペーン管理システムはまた、広告の各属性のどの変種が実際にサービスされたかを示す、広告に関連したトラッキングコードを添付することができる。その結果、エンドユーザの行動を観測することができ、トラッキングコードを用いて、広告の各属性の各変種のパフォーマンスに関してフィードバックを提供することができる。
【００２４】
特定の要素に対する重みを決定する際には、重みオプティマイザコンポーネント１７０は、広告の実際のパフォーマンスを調べて、配信に最適な広告を決定することができる。重みオプティマイザコンポーネント１７０は、複数のモードで動作する。例えば、最適モードでは、各変種の重み（表示の頻度）は、各変種に関連した測定結果に基づいて経時的に変更される。従って、重みオプティマイザコンポーネント１７０は、測定結果に基づいて重みを変える役割を果たす。重みオプティマイザコンポーネントはまた、各変種の重み（表示の頻度）がシステムによって変更されない静的モードに従って動作することができる。このモードは、測定結果に関するデータを広告主に提供することができる。広告主は、重みをマニュアルで変えるオプションを有することができる。
【００２５】
ポッド１００は、キャンペーンオプティマイザコンポーネント１７５を更に含むことができ、これは、キャンペーンのコストを最小にしながらも表示広告からのコンバージョンの数を増やすなど、特定の広告キャンペーン戦略に適合するように広告キャンペーン最適化を可能にする。このために、幾つかの実施形態では、キャンペーンオプティマイザコンポーネント１７５は、チャンネルサーバ１５０、予想コンポーネント１９０、サードパーティ分析フィードコンポーネント１９０、品質スコアコンポーネント１８５、及びＢＩＧ１５５から受け取ったデータを使用して、どの広告に幾ら入札するか、種々の広告にわたり予算をどのように割り当てるか、キャンペーンの全期間にわたり金銭をどのように費やすか、その他を決定する。更に、キャンペーン最適化は、広告を効率的に実行することだけでなく、種々のチャンネル及び戦術にわたる広告間のアービトラージ（裁定取引）の実施にも焦点を当て、制限のある広告キャンペーン予算が最も効果的になるのがどこであるかを判断する。
【００２６】
１つの実施形態では、キャンペーンオプティマイザコンポーネント１７５は、広告キャンペーン情報、広告キャンペーン・パフォーマンス情報、並びにユーザ情報などの潜在的な他の情報を含む、取得された分析データを分析し、最適広告キャンペーン戦略の決定を可能にするか、或いは決定する。本明細書では、「最適」広告キャンペーン戦略は、最適又は他の戦略よりも優れていると判断されたいずれかの広告キャンペーン戦略、最適である可能性が高いと判断されたいずれかの広告キャンペーン戦略、最適である或いは最適な可能性が高いと予測又は予想されたいずれかの広告キャンペーン戦略、その他を含む。幾つかの実施形態では、最適化は、広告主によって指定されるか、広告キャンペーン促進プログラムによって自動的に又は一部が自動的に供給されるか、或いは他の方法でパラメータ、又はパラメータの組合せに関して実施される。
【００２７】
前述に加えて、広告キャンペーン戦略は、広告キャンペーンに関する動作（例えば、現在の設定又は戦略を変える又は変えないことを含む）又は行為の何らかの手順、或いはその態様又は構成要素を含むことができる。広告キャンペーン戦略は、広告キャンペーンの１つ又はそれ以上の態様又はパラメータに関する動作の手順に関する推薦を含むことができ、動作又はパラメータのセットの即座の手順、或いは時間の指定ウィンドウに対する動作又はパラメータのセットの手順を含むことができる。例えば、オークションベースの検索結果リスティング状況のコンテキストにおける最適広告キャンペーン戦略は、スポンサードリスティングに関係した検索語又は用語のグループに関するオークション又はマーケットプレイスに関係した入札及び入札隠し率に関する推薦を含むことができる。
【００２８】
幾つかの実施形態では、キャンペーンオプティマイザコンポーネント１７５は、広告キャンペーン・パフォーマンス情報を分析して最適広告キャンペーン戦略を決定するように動作可能にすることができる。広告キャンペーン・パフォーマンス情報は、広告キャンペーン、チャンネル、戦術、又は広告もしくは広告のグループの履歴パフォーマンスに関する多様な情報を含むことができる。広告キャンペーン・パフォーマンス情報は、どのように効果的に広告するかについての提案、又は特定のチャンネルを介して提示される広告、その他を示し又は提供し、ユーザ又は消費者の行動に影響を与え又は影響を与える可能性が高い多くのタイプの情報を含むことができる。例えば、Ｙａｈｏｏ！のような広告チャンネルは、特定のスポンサード検索結果リスティングに関するパフォーマンス情報を収集することができる。情報は、リンクをクリックした閲覧者、又はリスティングの結果として広告主のウェブサイトで製品を買い物をした又は購入した閲覧者、その他の数又はパーセンテージを含むことができる。
【００２９】
キャンペーンオプティマイザコンポーネント１７５は、広告キャンペーン情報を分析し、最適広告キャンペーン戦略を決定するように動作可能にすることができる。広告キャンペーン情報は、キャンペーンの目的、又は予算に関連する条件もしくは制約を含むことができ、或いは広告自体、チャンネル、戦術、その他を指定、定義、又は説明をする情報を含むことができる。オークションベースのスポンサード検索結果リスティングに関して、広告キャンペーン情報は、例えば以下に更に説明されるように、用語又は用語のクラスタに関連した最高入札又は最低入札或いは入札位置（リスティングのランキング又は注目度）などの入札パラメータを含むことができる。このような広告キャンペーン情報はまた、キャンペーンの目的、例えばＲＯＡＳ（広告費用対効果）、ＣＰＩ（インプレッション当たりのクリック数）などのメトリクス、又は他のメトリクスで表わされる割り当て量又はゴール、及び個々の広告に関しては、用語又は用語のグループ、チャンネル、戦術、その他を含むことができる。
【００３０】
キャンペーンオプティマイザコンポーネント１７５は、入札最適化機能を更に含むことができ、これは、支払い済み検索結果などのリスティングに対する望ましい又は最適な入札を決定するためにシステムが使用することができる。キャンペーンオプティマイザコンポーネント１７５の入札最適化機能を用いて、広告主によって設定された入札に関するセットターゲット及び制約を課すことができる。制約は、最高入札及び最低入札を含むことができる。ターゲットは、リスティングに関連付けることができ、リスティングのパフォーマンスに関連する１つ又はそれ以上のメトリクスに関して指定することができる。キャンペーンオプティマイザコンポーネント１７５は、メトリクスに関係した最新の過去の分析を行い、ターゲットを達成するか又は可能な限りターゲットに近付けるように、入札オプティマイザ機能によって予想される入札推薦を指定することができる。幾つかの実施形態では、キャンペーンオプティマイザコンポーネント１７５はまた、リスティングに対する推薦を提供することができ、これには、最高入札と、最高入札隠し更新の間の時間とすることができる更新期間とを含むことができる。他の実施形態では、キャンペーンオプティマイザコンポーネント１７５はまた、先頭ページリスティングのような提供時にリスティングがプレミアムポジションを取得することが可能な値の範囲を含む推薦を提供することができる。
【００３１】
広告キャンペーン管理及び最適化を可能にするために、ポッド１００は、広告キャンペーン管理システムの好ましい実施形態に従って広告主ウェブサイトからビジター状態データを収集するよう更に動作可能である。このために、ポッド１００は、ポッド収集サーバ１３５、スクリプトサーバ１４０、及びイメージサーバ１４５を利用してビジター状態データを収集し、これをキャンペーンデータ記憶部１０５内に記憶する。次いで、収集されたビジター状態データは、限定ではないが、キャンペーンオプティマイザコンポーネント１７５、予想コンポーネント１９０、及びＢＩＧ１５５を含む、ポッド１００の種々のコンポーネントによって使用されて、本開示の種々の実施形態による広告キャンペーン・パフォーマンスデータを生成する。
【００３２】
本発明の種々の実施形態によるデータ収集の種々の方法は、限定ではないが、完全分析、キャンペーンのみ、コンバージョンカウンタ、及びサンプリングを含むことができる。１つの実施形態では、完全分析収集が最も堅牢な収集方法を提供する。完全分析収集は、マーケティングベース及びフリー検索ベースのリードを収集する。この結果、広告主は、リード及びコンバージョンがどのように生成されるかについての状況を完全に把握することができる。主に、完全分析収集方法は、広告主ウェブサイトのビジターがブラウザを介したリードから、潜在顧客、及び最終的にコンバージョン事象にまでどのように進むに関する主要ビューを提供するフルファンネルレポートを提供する。キャンペーンデータ記憶部１０５のビジター状態ストレージはまた、顧客レポートデータのリピート及びリターン、並びに認定方法のフルスーツを可能にすることができる。
【００３３】
別の実施形態では、キャンペーンだけの分析収集方法は、完全分析に酷似しているが、支払い済みマーケティング事象のみがトラッキングされ、フリー検索から生成された結果事象は無視又は廃棄される。これは、ファンネル及び繰り返しビジターレポート、並びに低いデータ収集レート及び記憶レートを提供するといった利点を有する。キャンペーンだけの分析方法は、レポートデータが豊富なことと、収集、処理、及び記憶コストが低減されることの均衡をとる。
【００３４】
更に別の実施形態では、コンバージョンカウンタ方法は、利用可能な最も簡単な分析データ収集である。コンバージョンカウンタ分析では、広告主は、広告主に対する収入などの値が生成されるページにタグを配置する。イメージサーバ１４５は、クッキー内にリード「スタック」を配置し、これを用いて適切な用語／クリエイティブをコンバージョン事象に与えることができる。このデータ収集メカニズムは、クリエイティブ重み付けに関する最適化を可能にするのに十分なデータを生成する。更に、１つの実施形態では、コンバージョンカウンタ手法には直接認定方法が適用できる点に留意されたい。コンバージョンカウンタ手法では、ビジター状態ストレージは必要ではなく、コンバージョン事象のみが受け取られる。従って、この手法は、ポッド１００のロード及びデータ記憶要件に最小の影響しか与えない。別の実施形態では、サンプリング手法が利用される。この方法によれば、固有のビジターのランダムな数、例えば１０％だけがトラッキングされ、データ収集及び記憶が低減される。
【００３５】
コンバージョン事象に対するリード生成ソースの認定を可能にするために、広告主のウェブサイト上での顧客セッションの状態を維持することができる。認定は、マーケティング事象の全てがある特定のマーケティング活動或いは特定のマーケティング活動のセットに結び付けられるプロセスである。ビジター状態の記憶に利用できる２つの既知の手法、すなわちクライアント側クッキー及びサーバ側データベースがある。
【００３６】
１つの実施形態では、クッキーは、例示的なクライアント側ビジター状態ストレージとして使用することができる。クッキーがビジター状態を記憶するのに使用される場合、２つの方法の１つを用いてビジター状態を記憶することができる。リード生成事象に使用されるリダイレクションサーバは、ビジター状態をクリック事象でのクッキーに追加することができる。或いは、収集サーバがリード事象の時点でクッキーを設定することができる。クッキー手法におけるビジター状態が最も費用対効果が大きいが、幾つかの欠点を有する。一般に、クッキーは必要記憶量が小さく、従って、アクティブ検索ユーザ（通常、多くの収入を生じるので最も価値のあるユーザ）は、そのリードスタックが大きくなり幾つかの古い事象を押し出すので、認定情報が失われる可能性がある。この結果、リード情報がスタックで失われ、従って認定が失われる場合にはコンバージョン事象が発生する可能性がある。更に、クッキーオフユーザは、本質的にはシステムには見えない。その上、クッキーが設定された場合に収集サーバ要求をパーズするのに必要な時間が追加されることに起因して有効性が減少し、これによりクッキーが完成できる前に、エンドユーザがクリックしてリードページから離れる可能性がある。最後に、クッキーベースのビジター状態ストレージにより、ユーザ行動のどのような内部分析も妨げられる。
【００３７】
別の実施形態では、ＣＤＳ１０５などのサーバ側データベースを使用して、ビジター状態を記憶することができる。データベース内のサーバ側ストレージを使用することで、高い有効率をもたらすが、ストレージのコストが付加される。ビジター状態のサーバ側ストレージを使用することによって、広告キャンペーン管理システムがより高度な認定モデルを有することが可能となり、アシストベースの認定を可能にすることができる。クッキーベースのビジター状態ストレージ全体にわたる有効率は、多くの要因に起因して増大する。第１に、リード損失が生じないので、システムは、単一のユーザが有することのできるビジター状態記憶の量においてもはや制限されない。クッキーオフユーザは、依然として固有のビジターとして追跡することができ、よってトラッキングも行うことができ（但し、正確度の割合が低下している）るので、従って含めることができる。事象のログを記録することができ、後で実際に処理することができるので、収集事象処理の待ち時間が大幅に短縮される。クッキー手法では、ビーコンサーバによって要求が戻される前にクッキーを評価しなくてはならないので、リード認定は、事象が受け取られた時点で行う必要がある。更に、キャンペーンデータ記憶部内に記憶されたビジター状態に関して、内部使用のために有用なマーケティングデータを収集し分析することができる。
【００３８】
１つの実施形態では、広告キャンペーン管理システムは、上述のクライアント側クッキー技術及びサーバ側データベース技術の組合せを利用して、ビジター状態データを収集し維持する。詳細には、上記に示されたように、ポッド１００は、ポッド収集サーバ１３５、スクリプトサーバ１４０、及びイメージサーバ１４５を利用して、ビジター状態データを収集し、これをキャンペーンデータ記憶部１０５内に記憶する。１つの実施形態では、ポッド収集サーバ１３５、スクリプトサーバ１４０、及びイメージサーバ１４５は、例えばＪａｖａ（登録商標）サーブレットとして実装することができる。
【００３９】
図２は、図１の広告キャンペーン管理システムによる広告のメンテナンスのためのモデルの１つの実施形態の図である。図示されるように、広告キャンペーン管理システムは、広告キャンペーンデータの階層型ストレージを可能にするデータ記憶部２００を含み、広告主に広告コンテンツの制御のための構造の複数のレベルを提供する。詳細には、広告キャンペーン管理システムのサービスを利用する広告主にはマスターアカウント２０５が提供され、マスターアカウント２０５に関する集計された分析を受け取り、集計された分析に基づきマスターアカウント２０５内のウェブプロパティ２１０及び広告を管理及び最適化することができる。ウェブプロパティ２１０は、ウェブサイト、又は広告主が広告している関連のウェブサイト及びページの組合せを含むことができる。更に、マスターアカウント２０５内では、広告主は、広告キャンペーンを別個に管理すると共に、広告パフォーマンス情報を収集するために幾つかのアカウント２２０を作成することができる。
【００４０】
ウェブプロパティ２１０からの広告パフォーマンスデータのトラッキング及び収集を可能にするために、データ記憶部２００は更に、カスタムタグ、プログラムコード、ナビゲーションコード、その他２１５を維持する。１つの実施形態によれば、タグ２１５は、システムによって作成され所与のウェブサイトの関連のウェブページ上に配置されて、広告主ウェブサイト上で顧客セッションを示すデータの自動トラッキング及び収集を可能にするコードの一部を含むことができる。例えば、タグを用いて、ユーザがウェブサイトに関連付けられた広告リンクをクリックした結果として案内されるウェブサイトからのユーザ訪問、対話、又は購入をトラッキングすることができる。所与の広告主の特定のニーズ及びビジネス目的に応じて、タグをコード化して、広告主にとって関心のある顧客セッションについての特定の情報を収集することができる。従って、一部のタグは、広告主ウェブサイト上の生クリックの数に関するデータの収集を可能にすることができ、他のタグは、例えば広告主ウェブサイトからの製品又はサービスの購入など、結果としてコンバージョンを生じたクリック数をトラッキングすることができる。当業者であれば、データ収集が顧客セッションの他の部分に限定される可能性がある点を認識するであろう。
【００４１】
幾つかの実施形態では、例えば、ＨＴＭＬタグ付け、データトラッキング、及び全体が共に引用により本明細書に組み込まれる米国特許出願第０９／８３２，４３４号及び第０９／５８７，２３６号で説明されるような関連技術などの特徴又は技術を利用し、或いはこれらを組み合わせることができる。
【００４２】
１つの実施形態では、マスターアカウント２０５内で、広告主は１つ又はそれ以上のアカウント２２０を維持することができ、これらを用いて、特定のアカウント２２０に関連する分析を受け取り、個々のウェブプロパティ２１０に関連付けられた広告キャンペーン支出を管理することができる。従って、アカウント２２０によって、広告主は、種々のウェブプロパティ２１０間及び別個の広告キャンペーン２２５間にそのアカウントの広告資金を分配できるようになる。所与の広告キャンペーン２２５は、特定の製品、サービス、又はコンテンツ、或いは製品、サービス、又はコンテンツのグループのマーケティング又は販売のような、共通の広告ゴールを達成することを目的とした１つ又はそれ以上の広告活動又は行為のセットを含むことができる。２つの広告キャンペーンは、異なる広告ゴールを目的としている場合には異種のものと考えることができる。例えば、広告主は、販売用の製品及びこの製品に関連したサービスを広告しようとする場合がある。従って、広告主は、この製品及びサービスを広告するために別個の広告キャンペーン２２５を記憶することができる。
【００４３】
１つの実施形態では、広告キャンペーン２２５のストレージは、幾つかの広告グループ２３０に更に細分化することができる。広告グループ２３０は、広告と、同様の方式で処理される広告についての広告パラメータとを含む概念上の区画又はコンテナと考えることができる。広告グループ２３０は、例えば所与のオーディエンス、デモグラフィックグループ、又は製品のファミリーをターゲットとする広告のグループ化であるマイクロターゲッティングを可能にすることができる。例えば、広告グループは、Ｓｏｎｙ、Ｍｉｃｒｏｓｏｆｔ、その他のような所与の製造メーカの製品、或いはＴＶ、ＤＶＤ、その他などの高級エレクトロニクス製品のファミリーに関連付けることができる。広告の所与のグループを同様の方式で管理することができる幾つかの方法がある。例えば、広告主は、所与の広告グループにおける項目に一定のマークアップ（例えば５０％）があることを指定することができ、一定の方法でこれらの広告全てを分配することを望むことができ、或いはこれらの広告に対し予算の一定の額を費やすことを望むことができる。更に、広告グループ２３０は、広告主が１つの広告キャンペーン２２５から別の広告キャンペーン２２５に広告及び広告パラメータの大きなグループを移動させ、或いは１つの広告キャンペーン２２５から別の広告キャンペーン２２５に広告及び広告パラメータの大きなグループを複製するための好都合なツールを提供する。
【００４４】
１つの実施形態では、所与の広告グループ２３０のパラメータに行われた変更は、所与の広告グループ内の全ての広告に適用することができる。例えば、１つのこのようなパラメータは価格設定である。スポンサード検索に対して、広告主は、全広告グループに対してデフォルト価格を設定することができるが、各個々の用語にはその価格を無効にすることができる。同様に、広告主は更に、ある用語を低値に指定することができるが、別の用語に費やす額を所与の広告グループの全ての広告全体にわたって均一に増やすことを決定することができる。従って、１つ又はそれ以上の広告グループ２３０によるストレージにより、広告主は、広告キャンペーンと所与の広告キャンペーンを含む個々の広告との間のギャップを埋めることができる。
【００４５】
所与の広告は、限定ではないが、クリエイティブ（例えば、タイトル、説明文）及び宛先ＵＲＬ（これに加えて関連するＵＲＬトラッキングコード）を含む、広告グループでの広告／用語を作成するのに使用される広告コンテンツの１つ又はそれ以上の項目を含むことができる。任意選択的に、所与の広告は、タイトル、説明文、又は他の広告コンポーネントにおける別のテキストへの置換えのための｛ＫＥＹＷＯＲＤ｝トークンを含むことができる。更に広告は、特定の広告グループ内でのみ使用され記憶される広告グループ又はローカル広告全体にわたって再使用できる広告ライブラリ（図示せず）のテンプレートとして存在することができる。広告キャンペーン管理システムが提供できる広告ライブラリによって、広告主は、キャンペーン及び広告グループ全体にわたりこれらを共有し再使用する広告テンプレートを記憶することが可能になる。広告ライブラリにおける広告は、アカウント内で共有することができ、例えば、各アカウントはその固有のライブラリを有する。
【００４６】
広告グループ２３０は、広告ゴールを達成するために多数の戦術を利用することができる。「戦術」という用語は、広告の特定の形式又はタイプを含む。例えば、オンライン広告において、戦術は、スポンサード検索結果リスティング２３５、バナー広告２５５、コンテンツマッチ２７０、その他を含むことができる。オフライン広告では、戦術は、テレビコマーシャル、ラジオコマーシャル、新聞広告、その他を含むことができる。種々の実施形態において、戦術は、リストされた実施例又は他の実施例のサブセット又はスーパーセットを含むことができる。例えばオンライン広告は、スポンサード検索結果リスティングの狭い戦術ではなく広い戦術の実施例である。更に、広告主は、異なる戦術について複数の広告チャンネルを利用することができる。例えば、広告主は、Ｙａｈｏｏ！、Ｇｏｏｇｌｅ．ｃｏｍ、ＭＳＮ．ｃｏｍ、その他などの幾つかのウェブサイト又はポータル内のスポンサード検索リスティングを利用することができる。１つの実施形態では、ユーザは、広告グループ２３０を含む広告方法の各タイプに対して支出限度を設けるように広告グループ２３０内にパラメータを設定することができる。
【００４７】
広告戦術の１つの実施例は、スポンサード検索２３５である。１つの実施形態によれば、スポンサード検索２３５は、以下のように動作する。すなわち、オークションベースのシステム又はマーケットプレイスが、検索語又は用語のグループに入札するために広告主によって使用され、これらの用語が検索に使用される場合、所与の広告主の広告リスティングの表示又は表示結果のうちのリンクを生じさせる。広告主は更に、検索結果におけるリスティングの位置又は注目度に入札することができる。オークションベースのスポンサード検索２３５に関して、所与の広告主は、クリックされた場合に広告が顧客を導くはずのウェブページへの統一資源位置指定子（ＵＲＬ）２４０、並びに表示する必要のある広告２４５のテキストを提供することができる。広告主は更に、広告２４５に関連付けられているはずの１つ又はそれ以上の用語２５０を識別することができる。
【００４８】
広告戦術の別の実施例は、コンテンツマッチ２７０である。コンテンツマッチ広告のストレージ２８０は、スポンサード検索戦術２３５を補完するため、或いはこれに対する代替として広告主によって使用される。コンテンツマッチ戦術２７０に従って記憶される広告は、顧客に提示される関連の記事、製品レビュー、その他と並べて表示される。コンテンツマッチ戦術２７０では、データ記憶部２００は、クリックされた場合に所与の広告が顧客を導くはずのウェブページのアドレスを特定する１つ又はそれ以上のＵＲＬ２７５、並びに広告のクリエイティブ部分２８０を含むテキスト、イメージ、ビデオ、又はマルチメディアの他のタイプを記憶する。
【００４９】
広告戦術の更に別の実施例はバナー広告２５５である。バナー広告戦術２５５は、スポンサード検索戦術２３５及びコンテンツマッチ方法２７０を補完するため、或いはこれらの代替として広告主が使用することができる。通常ペイパークリック支払い方式に基づいたスポンサード検索戦術及びコンテンツマッチ戦術とは対照的に、広告主は、インプレッションと呼ばれる、バナー広告２６５の表示毎に支払いを行う。或いは、バナー広告が電話番号を表示する場合、広告主は、広告に関連した電話番号にユーザが電話した場合にのみ課金されることができる。従って、バナー広告戦術では、データ記憶部２００は、クリックされた場合に広告が顧客を導くはずのウェブページへのＵＲＬ２６０、並びにバナー広告を含むクリエイティブ２６５を維持する。
【００５０】
広告キャンペーン管理システムのデータ記憶部２００は更に、各広告グループに対して種々のパラメータを記憶することができる。このようなパラメータは、例えば、特定の広告グループ又は所与の広告グループ内の広告に対する用語又は用語クラスタに関連付けられた最高入札又は最低入札或いは入札位置（リスティングのランキング又は注目度）を含むことができる。上述のように、オークションベースのスポンサード検索結果リスティング環境の実施形態では、リスティングの注目度又はランクは、広告パフォーマンス、従って広告キャンペーン管理における有用なパラメータと密接に関係している。所与の広告のランクは、顧客に表示されるページ上での広告の配置の品質を決定付ける。詳細は広告チャンネル毎に異なるが、トップランクのリスティングは通常、ページのトップに現れ、次のリスティングは、右のレールに現れ、更なるリスティングはページの下部に現れる。トップ５くらいよりも下にランクされたリスティングは、次の検索結果ページに現れることになる。
【００５１】
ランクとインプレッション及びクリック率（インプレッション当たりのクリック）の両方の数との間には相関関係があり、広告主のウェブサイトへのより多くのビジターを獲得するために、広告主がクリック当たりにより多く支払う（より高いランクを得る）機会を提供する。この結果、広告主は、広告主のビジネス目的及びリスティングによって生成されるそのウェブサイトのトラフィックの品質に基づいて、各リスティングに対して広告主が入札する必要のある金額が幾らであるかを決定することができる。この情報はまた、所与の広告グループ２３０に対して、本発明の広告キャンペーン管理システムのデータ記憶部２００内に記憶することができる。
【００５２】
図３−３１は、図１の広告キャンペーン管理システムに対するグラフィカルユーザインタフェース（「ＧＵＩ」）１１５の種々の実施形態の実施例であり、広告キャンペーン情報の表示、管理、最適化を行い、或いは広告キャンペーン情報のレポートをビューしてカスタマイズする機能をユーザに提供する。本明細書で使用される広告キャンペーン情報は、広告サービスプロバイダによって提供される、広告又は広告の１つ又はそれ以上のグループ化の現在のパフォーマンス又は履歴パフォーマンスなどの情報；広告又は広告の１つ又はそれ以上のグループ化に関するキャンペーン目的；広告又は広告の１つ又はそれ以上のグループ化に関する予算関連の条件又は制約；広告を指定、定義、或いは説明する情報；広告又は広告の１つ又はそれ以上のグループ化に関連した最高又は最低入札位置などの入札パラメータ；広告又は広告の１つ又はそれ以上のグループ化に関連した広告費用対効果（「ＲＯＡＳ」）、クリック単価（「ＣＰＣ」）、又はインプレッション当たりのクリック数（「ＣＰＩ」）などのメトリクス；広告又は広告の１つ又はそれ以上のグループ化に関連した獲得単価（「ＣＰＡ」）又は他のいずれかのパラメータを含むことができる。
【００５３】
図３は、広告キャンペーン情報を表示するＧＵＩの１つの実施形態の実施例である。一般に、ＧＵＩ３００は、アカウントのハイレベルの要約、ユーザアカウント内の広告キャンペーン及び広告グループの少なくとも一部のハイレベルの要約、ユーザアカウントに関係したパフォーマンスパラメータのグラフ図、及びユーザアカウントに関連したあらゆる警報のリスティングを提供する。
【００５４】
１つの実施形態では、ＧＵＩ３００は、警報セクション３０２、アカウント要約パフォーマンスセクション３０４、及び広告キャンペーン／広告グループ要約セクション３０６を含む。警報セクション３０２は、ユーザへの１つ又はそれ以上の通知３０８を含むことができる。１つ又はそれ以上の通知３０８は、ユーザアカウント全体、広告主アカウントの広告キャンペーン、広告キャンペーンの広告グループ、個々の広告、或いは広告主又は広告サービスプロバイダによって定められた情報の他のいずれかのグループ化に関係することができる。例えば、１つ又はそれ以上の通知３０８は、キーワードが低下したこと、ユーザアカウントに関連したクレジットカードの有効期限が間もなく終了すること、広告が拒否されたこと、或いは広告サービスプロバイダによって要求される警報の他のいずれかのタイプをユーザに警報することができる。更に警報セクション３０２は、ユーザアカウント全体、広告キャンペーン、広告グループ、個々の広告、或いは広告主又は広告サービスプロバイダによって定められた情報の他のいずれかのグループ化に基づいて１つ又はそれ以上の通知３０８をフィルタリングするためのドロップダウンメニュー３１０を含むことができる。
【００５５】
アカウント要約パフォーマンスセクション３０４は、ある時間期間にわたるアカウントのパフォーマンスパラメータを示すグラフ３１２を含むことができる。例示的なパフォーマンスパラメータは、ユーザアカウント全体、個々の広告、広告グループ、広告キャンペーン、或いは広告主又は広告サービスプロバイダによって定められた情報の他のいずれかのグループ化に関するインプレッション数、クリック数、獲得数、又は収入を含む。グラフ３１２に加えて、アカウント要約パフォーマンスセクション３０４はまた、ユーザアカウント全体、広告キャンペーン、広告グループ、個々の広告、或いは広告主又は広告サービスプロバイダによって定められた情報の他のいずれかのグループ化に関するインプレッション数、クリック数、獲得数、又は収入などのパフォーマンスパラメータの数値的リスティング３１４を含むことができる。
【００５６】
広告キャンペーン／広告グループ要約セクション３０６は、ドロップダウンメニューフィルタ３１７に従ってフィルタリングすることができる広告キャンペーン及び広告グループの１つ又はそれ以上の要約３１６を含むことができる。ドロップダウンメニューフィルタ３１７によって、ユーザは、広告主又は広告サービスプロバイダによって定められる広告キャンペーン、広告グループ、トップパフォーマンス広告グループ、検索戦術、又は情報の他のいずれかのグループ化に基づいて広告キャンペーン及び広告グループの要約３１６をフィルタリング可能にすることができる。図３では、広告キャンペーン及び広告グループの１つ又はそれ以上の要約３１６は、トップターゲットグループ（トップ広告グループ）に従ってフィルタリングされる。広告キャンペーン及び広告グループの要約３１６は、広告キャンペーン３２０の名前、広告キャンペーン３２０に関連した広告グループの名前３２２、トップパフォーマンス広告３２３、広告キャンペーン及び広告グループの検索戦術３２４、広告グループ内の広告のインプレッションの数３２６、広告グループのクリック率（「ＣＴＲ」）３２８、広告グループ内の広告のクリック数３３０、広告グループ内の広告のクリック単価（「ＣＰＣ」）３３２、広告グループ内の広告にユーザが費やした額３３４、或いは広告キャンペーン又は広告グループに関して広告サービスプロバイダが提供する他のいずれかのパフォーマンスパラメータを含むことができる。トップパフォーマンス広告３２２は、インプレッションの最高数、最高ＣＴＲ、又は最大クリック数を有する広告など、広告主又は広告サービスプロバイダによって定められる広告キャンペーン又は広告グループ内の最高パフォーマンスパラメータを有する広告とすることができる。
【００５７】
広告キャンペーン／広告グループ要約セクション３０６は更に、日付範囲選択ツール３３６を含むことができる。日付範囲選択ツール３３６を起動することによって、ユーザは、広告キャンペーン／広告グループ要約セクション３０６にリストされたパフォーマンスパラメータをビューしたいと望む日付範囲を選択することができる。例えば、ユーザは、過去２４時間、過去１カ月間、１カ月前の２週間、或いはユーザによって定められた他のいずれかの時間期間にわたりパフォーマンスパラメータをビューするよう選択することができる。日付範囲選択ツール３３６は、図４−３１に関して以下に説明される他のＧＵＩにも適用できることは理解されるであろう。
【００５８】
図４は、広告キャンペーン情報を表示するＧＵＩの別の実施形態の実施例である。図４は、図３にあるような１つ又はそれ以上の広告キャンペーン及び広告グループ４１６に基づいて広告情報を表示するときに、ユーザが、二次ＧＵＩ４３４を動的に作成するために１つ又はそれ以上のハイパーリンク４３２を起動することができることを示している。二次ＧＵＩ４３４は、トップパフォーマンス広告などの情報を含むことができる。
【００５９】
図５ａ及び５ｂは、広告キャンペーン情報を表示するＧＵＩの実施形態の実施例である。図５ａでは、ＧＵＩ５００は、図３に関して上述の警報及びパフォーマンスセクションに類似した警報セクション５０６及びパフォーマンスセクション５０８に加えて、１つ又はそれ以上の広告キャンペーンの要約５０４をリストする広告キャンペーン要約セクション５０２を含む。図５の１つ又はそれ上の広告キャンペーンの要約５０４は、トップパフォーマンス広告キャンペーン５１０に従ってフィルタリングされる。広告キャンペーンの各要約は、月次予算５１２、インプレッションの数５１４、クリック率（「ＣＴＲ」）５１６、クリック数５１８、クリック単価（「ＣＰＣ」）５２０、獲得数５２２、獲得単価（「ＣＰＡ」）５２４、収入５２６、広告費用対効果（「ＲＯＡＳ」）５２８、広告キャンペーンに費やした額５３０、又は広告サービスプロバイダによって提供されたいずれかのパフォーマンスパラメータなどの広告キャンペーンに関連したパフォーマンスパラメータの数値的リスティングを含むことができる。
【００６０】
図５ｂでは、ＧＵＩ５０１は、図３及び５ａに関して上述の警報及びパフォーマンスセクションに類似した警報セクション５０６及びパフォーマンスセクション５０８に加えて、１つ又はそれ以上の広告キャンペーンの要約５０４をリストする広告キャンペーンセクション５０２を含む。ＧＵＩ５０１は更に、マスターアカウントを選択するためのドロップダウンメニュー５３２と、選択されたマスターアカウント内でアカウントを選択するためのドロップダウンメニュー５３４とを含む。広告キャンペーン管理システムは通常、複数のアカウントが単一のマスターアカウントに関連付けられるように階層方式でアカウントを編成する。
【００６１】
ＧＵＩ５０１は更に、パフォーマンスパラメータを選択してパフォーマンスセクション５０８にグラフを作るためのドロップダウンメニュー５３６と、広告キャンペーンセセクション５０２に表示される幾つかのキャンペーン要約を一度に選択するためのドロップダウンメニュー５３８とを含む。上述のキャンペーン要約と同様に、このキャンペーン要約は、アシスト５４０などの広告キャンペーンに関するパフォーマンスパラメータを含む。あるキャンペーンについてのアシストの数は、以前にキャンペーンに関する情報を検索した後の関連する製品又はサービスについてポテンシャルがコンバージョンを完了した回数である。例えば、ポテンシャルは、最初に第１の検索語を検索し、コンバージョンを終了しない可能性がある。しかしながら、ポテンシャルは次に、第１の用語に関連する第２の用語を検索してコンバージョンを完了する可能性がある。これが起こった場合、第１の用語は、ポテンシャルが第２の用語を検索した後にコンバージョンを完了した場合でもコンバージョンへのアシストが与えられる。アシストの数は、広告主によって定められたマスターアカウント、アカウント、広告キャンペーン、広告グループ、又は個々の広告もしくはキーワードレベル、或いは他のいずれかのレベルに関して計算することができる。
【００６２】
図５ｂに関して説明されたドロップダウンメニューのいずれもが図３−３１で説明されるユーザインタフェースのいずれかと共に使用することができる点を理解されたい。
【００６３】
図６は、広告キャンペーン情報を表示及び管理するためのＧＵＩの１つの実施形態の実施例である。一般に、図６のＧＵＩ６００は、広告主アカウント内の１つ又はそれ以上の広告キャンペーンの要約６０３を有する広告キャンペーン要約セクション６０２を含む。広告キャンペーンの１つ又はそれ以上の要約６０３の各々は、月次予算６０４、インプレッションの数６０６、ＣＴＲ６０８、クリックの数６１０、ＣＰＣ６１２、広告キャンペーンに費やした額６１４、或いは広告キャンペーンに関する広告サービスプロバイダによって提供される他のいずれかのパフォーマンスパラメータなど、広告キャンペーンに関連したパフォーマンスパラメータを含むことができる。ＧＵＩ６００はまた、１つ又はそれ以上の広告キャンペーン６０３について表示される広告キャンペーン情報の全ての集計情報を含む要約バー６１６を備えることができる。例えば、要約バー６１６は、集計された月次予算６１６、集計インプレッション数６１８、集計ＣＴＲ６２０、集計クリック数６２２、集計ＣＰＣ６２４、全広告キャンペーンで費やした総額６２６、或いは広告キャンペーンに関する広告サービスプロバイダによって提供される他のいずれかのパフォーマンスパラメータを含むことができる。
【００６４】
ＧＵＩ６００は更に、１つ又はそれ以上の広告キャンペーン動作ハイパーリンク６２８を含むことができる。１つ又はそれ以上の広告キャンペーンを選択し、１つ又はそれ以上の広告キャンペーン動作ハイパーリンク６２８を起動することによって、ユーザは、広告キャンペーンの停止、広告キャンペーンの起動、広告キャンペーンの削除、複数のキャンペーンの１つのキャンペーンへのグループ化、広告キャンペーンの複製、ウォッチリストへの広告キャンペーンの追加、ウォッチリストからの広告キャンペーンの除去、又は広告キャンペーン全体で実行できる他のいずれかの機能などの動作を実施することができる。
【００６５】
図７は、広告キャンペーン情報を表示し管理するためのＧＵＩの別の実施形態の実施例である。図６のＧＵＩと同様に、ＧＵＩ７００は、広告主アカウント内の１つ又はそれ以上の広告キャンペーンの要約７０２を表示する。ＧＵＩ７００はまた、フィルタバー７０４を含むことができ、これによってユーザは、パフォーマンスパラメータ、広告グループ、又は広告キャンペーンに関連した広告サービスプロバイダによって提供される他のいずれかのパラメータに従って広告キャンペーン要約をソートしビューすることが可能になる。
【００６６】
図８ａ及び８ｂは、広告キャンペーン情報を表示及び管理するためのグラフィカルユーザインタフェースの実施形態の実施例である。図６及び７のＧＵＩと同様に、ＧＵＩ８００ａは、広告主アカウント内の１つ又はそれ以上の広告キャンペーンの要約８０２を表示する。ＧＵＩ８００はまた、検索バー８０４を含むことができ、これによってユーザは、１つ又はそれ以上の広告キャンペーンの要約８０２を検索することが可能になる。検索バー８０４を使用して、ユーザは、インプレッション数８０６、ＣＴＲ８０８、クリック数８１０、ＣＰＣ８１２、獲得数８１４、ＣＰＡ８１６、収入８１８、ＲＯＡＳ８２０、広告キャンペーンに費やした額８２２、又は広告グループに関する広告サービスプロバイダによって提供される他のいずれかのパフォーマンスパラメータなどのパフォーマンスパラメータに基づいて、１つ又はそれ以上の広告グループの特定の要約８０２を検索し表示することができる。更に、検索バー８０４によってユーザは、ユーザによって入力された値８２４よりも大きい、小さい、又はこれに等しい特定の要約を検索し表示することができる。
【００６７】
図８ｂは、検索バー８０４（図８ａ）に加えて或いはこの代わりに、ＧＵＩが高度検索ＧＵＩ８２６を提供することができることを示している。高度検索ＧＵＩ８２６は、１つ又はそれ以上の検索条件に基づいて広告を検索する機能をユーザに提供する。例えば、ユーザは、広告に関連した１つ又はそれ以上のパフォーマンスパラメータ或いは広告の１つ又はそれ以上の広告キャンペーン管理設定に対する値の範囲に基づいて広告を検索することができる。
【００６８】
１つの実施形態では、高度検索ＧＵＩ８２６は、テキストの一部を含む広告、或いはテキストの一部を含まない広告を検索する機能８２８を提供する。更に、高度検索ＧＵＩ８２６は、平均ＣＰＣ８３０、インプレッション数８３２、ＣＴＲ８３４、クリック数８３６、コスト８３８、コンバージョン数８４０、収入８４２、ＲＯＡＳ８４４、或いは広告キャンペーン管理システムによって提供される広告に関連した他のいずれかのパフォーマンスパラメータなど、パフォーマンスパラメータに関する値の範囲に基づいて広告を検索する機能を提供する。更に、高度検索ＧＵＩ８２６は、広告がアクティブであるかどうか８４６、広告がウォッチされているかどうか８４８、或いは広告に関連した警報があるかどうか８５０に基づいて広告を検索する機能を提供する。
【００６９】
高度検索ＧＵＩ８２６が１つ又はそれ以上の検索基準のいずれかの組合せに基づいて広告を検索する機能を提供することは理解されるであろう。例えば、ユーザは、＄０．５０から＄０．７５の間の平均ＣＰＣ８３０を有する全ての広告に対する第１の検索を行うことができる。ユーザはまた、＄０．５０と＄０．７５の間の平均ＣＰＣ８３０、１００から５００の間のコンバージョンの数８４０、及びアクティブに設定された状態８４６を有する全ての広告に対する第２の検索を行うことができる。
【００７０】
図９は、広告キャンペーン情報を表示及び管理するためのＧＵＩの別の実施形態の実施例である。図６−８のＧＵＩと同様に、ＧＵＩ９００は、広告主アカウント内の１つ又はそれ以上の広告キャンペーンの要約９０２を表示する。ＧＵＩ９００はまた、ユーザによって起動されたときに、広告キャンペーン管理システムに二次ＧＵＩ９０４を作成させる１つ又はそれ以上のハイパーリンクを含むことができる。通常、二次ＧＵＩ９０４は、広告キャンペーンに関するパフォーマンスパラメータなどの情報をグラフ形式で表示する。１つの実施形態では、二次ＧＵＩ９０４は、インプレッション数９０６、クリック数９０８、獲得数９１０、収入９１２、或いは広告キャンペーンに関連した広告サービスプロバイダによって提供される他のいずれかのパフォーマンスパラメータなど、広告キャンペーンに関するパフォーマンスパラメータのある時間期間にわたるグラフ９０５を含むことができる。
【００７１】
図１０は、広告キャンペーン情報を表示し管理するためのＧＵＩの１つの実施形態の実施例である。一般に、ＧＵＩ１０００は、広告グループ要約セクション１００２を含む。広告グループ要約セクション１００２は通常、キャンペーン内の広告グループの１つ又はそれ以上の要約１００４、要約バー１００６、及び複数の広告グループ動作ハイパーリンク１００８を含む。広告グループの各要約１００４は、検索戦術１０１０、広告グループ内の広告の数１０１２、インプレッションの数１０１４、ＣＴＲ１０１６、クリックの数１０２０、ＣＰＣ１０２２、広告グループに費やした額１０２４、或いは広告グループに関する広告サービスプロバイダによって提供される他のいずれかのパフォーマンスパラメータなど、広告グループに関する広告キャンペーン情報を含むことができる。同様に、要約バー１００６は、集計広告数１０２６、集計インプレッション数１０２８、集計ＣＴＲ１０３０、集計クリック数１０３２、広告キャンペーン内の広告グループに対する集計ＣＰＣ１０３４、広告キャンペーン内の広告グループに費やされた集計額１０３６、又は広告グループの要約１００４にリストされた他のいずれかのパフォーマンスパラメータなど、広告キャンペーン内の全ての広告グループについての集計広告キャンペーン情報を含むことができる。
【００７２】
広告グループ要約セクション１００２内の１つ又はそれ以上の広告グループを選択し、広告グループ動作ハイパーリンク１００８の１つを起動することによって、ユーザは、広告グループの停止、広告グループの起動、広告グループの削除、複数の広告グループの１つの広告グループへのグループ化、広告グループの複製、異なる広告キャンペーンへの広告グループの移動、ウォッチリストへの広告グループの追加、ウォッチリストからの広告グループの除去、或いは広告グループ全体で実施できる他のいずれかの機能などの動作を実施することができる。
【００７３】
ＧＵＩ１０００は更に、ユーザによって起動されたときに、図１１−１５に示されたような１つ又はそれ以上のＧＵＩを開くキャンペーン設定ハイパーリンク１０３８を含むことができる。図１１は、広告キャンペーンを表示し管理するためのＧＵＩの１つの実施形態の実施例である。一般に、例示された実施形態では、ＧＵＩは、基本情報セクション１１０２、ビジネス目的セクション１１０４、予算及びスケジュールセクション１１０６、戦術設定セクション１１０８、及びジオ−ターゲティング（地域特定）セクション１１１０を含む。
【００７４】
基本情報セクション１１０２は、広告キャンペーンの名前１１１２、広告キャンペーンの説明１１１４、状態指標１１１６、広告キャンペーンがウォッチリストにあるかどうかの表示１１１８、或いは広告キャンペーンに関する広告サービスプロバイダによって提供される情報の他のいずれかのセットなど、広告キャンペーンに関する情報を含むことができる。基本情報セクション１１０２はまた、ユーザによって起動されたときに、以下に説明される図１２で分かるように、基本情報セクション１１０２にリストされた情報のいずれもユーザが編集できるようにする編集ハイパーリンク１１２０を含むことができる。
【００７５】
ここで図１１を参照すると、ビジネス目的セクション１１０４は、それぞれのビジネス目的に対する結果の表示を与える。ビジネス目的は、図１１で指定されたパラメータの１つについてのパフォーマンスゴール、或いは広告キャンペーンについての別のゴールとすることができる。ビジネス目的セクション１１０４は、１つ又はそれ以上のパフォーマンスパラメータのリスティング１１２２、各パフォーマンスパラメータに関連した現在値１１２４、各パフォーマンスパラメータの重要度の指定１１２６、及び各パフォーマンスパラメータに関連した値が引き継がれているかどうかに関する表示１１２８を含むことができる。１つの実施形態では、値が関連するアカウントレベルから取得された場合には、パフォーマンスパラメータの値は引き継ぐことができる。例えば、広告キャンペーンは、広告主アカウント内の全ての広告キャンペーン全体に伝播される広告主アカウントレベル設定からパフォーマンスパラメータの値を引き継ぐことができる。或いは、広告グループは、広告グループ内の全ての広告キャンペーン全体に伝播される広告主広告キャンペーンレベル設定からパフォーマンスパラメータの値を引き継ぐことができる。ビジネス目的セクション１１０４はまた、ユーザによって起動されたときに、以下に説明される図１３で分かるように、１つ又はそれ以上のパフォーマンスパラメータ１１２４に関連したビジネス目的設定のいずれをもユーザが編集することを可能にする編集ハイパーリンク１１３０を含むことができる。
【００７６】
ここで再度図１１を参照すると、予算及びスケジュールセクション１１０６は更に、広告キャンペーンのための現在の月次予算１１３２、及び広告キャンペーンの開始及び終了日１１３４などの広告キャンペーン情報を含むことができる。予算及びスケジュールセクション１１０６は、ユーザによって起動されたときに、以下に説明される図１４で分かるように広告キャンペーンに関連した広告キャンペーンの予算、又は開始及び終了日をユーザが修正可能にする編集ハイパーリンク１１３６を含むことができる。
【００７７】
ここで再度図１１を参照すると、戦術設定セクション１１０８は、スポンサード検索セクション１１４０、コンテンツマッチセクション１１４２、又は当該技術分野で公知の検索戦術の他のいずれかのタイプのセクションを含むことができる。一般に、スポンサード検索セクション１１４０は、スポンサード検索に関連した１つ又はそれ以上のパフォーマンスパラメータ１１４４、各パフォーマンスパラメータの現在の値１１４６、及び各パフォーマンスパラメータの値が引き継がれているかどうかに関する表示１１４８を含むことができる。同様に、コンテンツマッチセクション１１４２は、コンテンツマッチに関連した１つ又はそれ以上のパフォーマンスパラメータ１１５０、各パフォーマンスパラメータの現在の値１１５２、及び各パフォーマンスパラメータの値が引き継がれているかどうかに関する表示１１５４を含むことができる。戦術設定セクション１１０８はまた、ユーザによって起動されたときに、以下に説明される図１５で分かるように、広告キャンペーンに関連した戦術設定をユーザが修正可能にする編集ハイパーリンク１１５６を含むことができる。
【００７８】
ここで図１１を参照すると、ジオ−ターゲティングセクション１１１０は、広告キャンペーンが向けられる国１１５８、都市１１６０、又は地域の名前のリスティングを含むことができる。ジオ−ターゲティングセクション１１１０はまた、ユーザによって起動されたときに、広告キャンペーンに関連したジオ−ターゲット設定をユーザが修正可能にする編集ハイパーリンク１１６２を含むことができる。
【００７９】
広告キャンペーンに関してＧＵＩ１１００に表示された広告キャンペーン情報の全ては、広告グループに関してＧＵＩに表示することができる点は理解されるであろう。
【００８０】
図１２は、広告キャンペーンに関する基本情報を編集するためのＧＵＩの１つの実施形態の実施例である。しかしながら、広告グループに関する基本情報を編集するために類似のＧＵＩを作成することができる点は理解されるであろう。一般に、ＧＵＩ１２００は、広告キャンペーンの名前を編集するためのウィンドウ１２０２、広告キャンペーンの説明を編集するためのウィンドウ１２０４、広告キャンペーンの状態を変更するためのドロップダウンメニュー１２０６、広告キャンペーン管理システムが広告キャンペーンをウォッチするかどうかを変更するためのドロップダウンメニュー１２０８、及びウィンドウ１２０２及び１２０４並びにドロップダウンメニュー１２０６及び１２０８内の現在の情報をセーブするための変更セーブハイパーリンク１２１０を含む。
【００８１】
図１３は、広告キャンペーンレベルでビジネス目的を表示及び管理するためのＧＵＩの１つの実施形態の実施例である。しかしながら、広告グループレベルでビジネス目的を表示及び管理するために類似のＧＵＩを作成できることは理解されるであろう。一般に、ＧＵＩ１３００は、１つ又はそれ以上のビジネス目的のリスティング１３０２を含む。各ビジネス目的に対して、ユーザは、ビジネス目的に関連した種々のパラメータを修正できる。例えば、ユーザは、ビジネス目的が上述のように異なる広告主アカウントレベルから引き継がれるかどうかを選択することができる１３０４。ユーザはまた、パフォーマンスパラメータの値が引き継がれない場合、検索リスティングにおける最低及び最高位置、ＣＰＭ、ＣＰＣ、ＣＰＡ、又はＲＯＡＳなどの広告キャンペーンに関連したパフォーマンスパラメータの値を入力することができる１３０６。更に、ユーザはまた、キャンペーンオプティマイザ１７５（図１）と共に使用するために、重要でない、重要、又は最重要など、ビジネス目的に対する重要度のレベルを選択することができる１３０８。
【００８２】
図１４は、広告キャンペーンレベルで予算及びスケジューリングパラメータを表示し管理するためのＧＵＩの１つの実施形態の実施例である。しかしながら、広告グループレベルで予算及びスケジューリングパラメータを表示し管理するために類似のＧＵＩを作成できることは理解されるであろう。一般に、ＧＵＩ１４００は、推定ツール１４０２、推定グラフ１４０４、及びスケジューリングツール１４０６を含む。
【００８３】
推定ツール１４０２によって、ユーザは、ターゲットの月次予算のような値１４０８を入力し、ターゲットの月次予算に対して入力された値に基づいた月次インプレッションの推定数１４１０又は月次クリック数の推定数１４１２など、推定パフォーマンスパラメータを動的に作成することができる。
【００８４】
推定グラフ１４０４は、クリックの潜在数対クリックの現在の推定数１４１４の例図と、クリックの潜在数を取得するのに必要な予算対現在のターゲットの月次予算１４１６の例図を含むことができる。更に、推定グラフ１４０４は、現在のターゲットの月次予算に関して外れたインプレッション数及びクリック数の数値的リスティング１４１８を含むことができる。１つの実施形態では、例１４１４及び１４１６並びに数値的リスティング１４１８は、ユーザが推定ツール１４０２に新しい値を入力し、推定パフォーマンスパラメータを動的に作成するときに動的に更新される。１つの実施形態では、クリックの潜在数、クリックの現在の推定数、クリックの潜在数を取得するのに必要な予算、及び現在の月次予算に関して外れたインプレッション及びクリックの数を計算するのに必要なデータは、上述のキャンペーンオプティマイザ１７５（図１）及び予想コンポーネント１８５（図１）から取得される。
【００８５】
スケジューリングツール１４０６によって、ユーザは、広告キャンペーンの開始日及び終了日を設定することができる。通常、スケジューリングツール１４０６は、ユーザが広告キャンペーンを開始する現在の日付又は将来の日付を選択することができる開始日１４２０ウィンドウ、及びキャンペーンを終了する将来の日付を選択するか又はキャンペーンの終了日がないことを選ぶことができる終了日ウィンドウ１４２２を含む。
【００８６】
図１５は、広告キャンペーンに関する広告キャンペーン戦術設定を編集するためのＧＵＩの１つの実施形態の実施例である。しかしながら、広告グループに関するキャンペーン戦術設定を編集するために類似のＧＵＩを作成できることは理解されるであろう。一般に、ＧＵＩ１５００は、ＣＰＣ選択エリア１５０２、アドバンスマッチ選択エリア１５０４、全ての除外キーワードのリスティング１５０６、及び自動最適化選択エリア１５０８を含む。
【００８７】
ＣＰＣ選択エリア１５０２によって、ユーザは、広告キャンペーンに対してＣＰＣを設定することができる。１つの実施形態では、ユーザは、ＣＰＣ選択エリア１５０２内のエリア１５１０を選択することによってアカウントレベルからＣＰＣを引き継ぐことを選択できる。或いは、ユーザは、指定されたウィンドウ１５１２に広告キャンペーンで使用するＣＰＣを入力することができる。
【００８８】
アドバンスマッチ選択エリア１５０４によって、ユーザは、アドバンスマッチが広告キャンペーン管理システム内でターンオン又はターンオフされるかを選択することができる。アドバンスマッチがターンオンされると、広告サービスプロバイダは、完全フレーズ一致アルゴリズムではなく高度一致アルゴリズムを実装し、これにより広告サービスプロバイダは、より頻繁に広告を提供するようになる。除外キーワードのリスティング１５０６は、アドバンスマッチがターンオンされたときに使用される用語であり、キーワードが複数の意味を有する場合に言葉の幾つかの意味に対して広告との一致を見つけるのを阻止する。
【００８９】
最後に、自動最適化選択エリア１５０８によって、ユーザは、広告キャンペーン管理システムを許可するかどうかを選択し、広告キャンペーンの１つ又はそれ以上のパフォーマンスパラメータを調整してユーザの１つ又はそれ以上のビジネス目的に基づいて広告キャンペーンのパフォーマンスを最適化することができるようになる。
【００９０】
図１６は、広告キャンペーン情報を表示し管理するためのＧＵＩの別の実施形態の実施例である。一般に、図１６のＧＵＩ１６００は、広告キャンペーングラフセクション１６０２、広告キャンペーン要約セクション１６０４、広告キャンペーン管理セクション１６０６、及び図１０のＧＵＩ１０００に関して上述の広告グループ要約セクションに類似する広告グループ要約セクション１６０８を含む。
【００９１】
広告キャンペーングラフセクション１６０２は通常、ある時間期間にわたる広告キャンペーンの選択されたパフォーマンスパラメータ１６１１を示すグラフ１６１０を含む。例えばグラフ１６１０は、キャンペーン内の広告のインプレッションの数、クリックの数、獲得数、収入、又は広告サービスプロバイダによって提供される広告キャンペーンに関連した他のいずれかのパフォーマンスパラメータを示すことができる。
【００９２】
広告キャンペーン要約セクション１６０４は通常、広告キャンペーン内の広告グループ全てに対する１つ又はそれ以上の平均パフォーマンスパラメータ１６１２を含む。例えば、平均パフォーマンスパラメータ１６１２は、平均ＣＰＣ、検索リスティング内の平均位置、平均クリック率、キャンペーン全体的に対する品質スコア、或いは広告キャンペーン内の広告グループ全てにわたって平均することができるもの以外の広告サービスプロバイダによって提供される広告キャンペーンに関連した他のいずれかのパフォーマンスパラメータを含むことができる。
【００９３】
広告キャンペーン管理セクション１６０６は通常、広告キャンペーンに関連した１つ又はそれ以上のパフォーマンスパラメータ１６１４、各パフォーマンスパラメータ１６１４に関連した現在値１６１６、及び各パフォーマンスパラメータ１６１４の重要度の現在の指示１６１８を含む。広告キャンペーンに関する１つ又はそれ以上のパフォーマンスパラメータ１６１４は、検索リスティングにおける最低許容可能位置、検索リスティングにおける最高許容可能位置、ＣＰＭ、ＣＰＣ、ＣＰＡ、ＲＯＡＳ、又はインターネットサービスプロバイダによって提供される他のいずれかのパフォーマンスパラメータを含むことができる。
【００９４】
更に、ＧＵＩ１６００は、ユーザによって起動されたときに、図１３に示されるようなＧＵＩにユーザを導く編集ハイパーリンク１６２０を含むことができ、これによってユーザは、広告キャンペーンに関連したビジネス目的を修正することが可能になる。
【００９５】
図１７は、広告キャンペーン情報を表示し管理するためのＧＵＩの別の実施形態の実施例である。一般に、ＧＵＩ１７００は、図１６のＧＵＩ１６００に類似した広告キャンペーングラフセクション１７０２、広告キャンペーン要約セクション１７０４、広告キャンペーン管理セクション１７０６、及び広告グループ要約セクション１７０８を含む。しかしながら、図１７のＧＵＩ１７００はまた、検索バー１７１０を含み、これによってユーザは広告キャンペーンに関連した１つ又はそれ以上の広告グループの要約１７１２を検索し表示することができる。検索バー１７１０を使用して、ユーザは、検索戦術１７１４、インプレッション１７１６、ＣＴＲ１７１８、クリック１７２０、ＣＰＣ１７２２、獲得数１７２４、ＣＰＡ１７２６、収入１７２８、ＲＯＡＳ１７３０、広告グループが費やした額１７３２、又は広告グループに関する広告サービスプロバイダによって提供される他のいずれかのパフォーマンスパラメータに基づいて、１つ又はそれ以上の広告グループの要約１７１２を検索することができる。更に、検索バー１７１０によって、ユーザは、ユーザによって入力された値１７３４よりも大きい、小さい、又はこれに等しい要約を検索できるようになる。
【００９６】
図１８は、広告キャンペーン情報を表示し管理するためのＧＵＩの別の実施形態の実施例である。一般に、図１８のＧＵＩ１８００は、広告グループグラフセクション１８０２、広告グループ要約セクション１８０４、広告グループトップパフォーマンス広告セクション１８０６、及びキーワード／広告要約セクション１８０８を含むことができる。
【００９７】
広告グループググラフセクション１８０２は通常、ある時間期間にわたって広告グループの選択されたパフォーマンスパラメータ１８１２を示すグラフ１８１０を含む。例えば、グラフ１８１０は、広告グループ内の広告のインプレッションの数、クリックの数、獲得の数、収入、又は広告サービスプロバイダによって提供される広告グループに関連した他のいずれかのパフォーマンスパラメータを示すことができる。
【００９８】
広告グループ要約セクション１８０４は通常、広告グループ内の全ての広告に対する１つ又はそれ以上の平均パフォーマンスパラメータ１８１３を含む。例えば、平均パフォーマンスパラメータ１８１３は、平均ＣＰＣ、検索リスティングにおける平均位置、平均クリック率、広告グループ全体に対する品質スコア、又は広告グループ内の広告全てにわたって平均することができるもの以外の広告サービスプロバイダによって提供される広告グループに関連した他のいずれかのパフォーマンスパラメータを含むことができる。
【００９９】
広告グループトップパフォーマンス広告セクション１８０６は、広告１８１４、及び広告１８１４に関連した１つ又はそれ以上のパフォーマンスパラメータ１８１６を含むことができる。広告グループ内のトップパフォーマンス広告は、インプレッションの最高数、最高ＣＴＲ、又はクリックの最大数を有する広告のような、広告主又は広告サービスプロバイダによって定められる広告グループ内の最高パフォーマンスパラメータを有する広告とすることができる。
【０１００】
広告１８１４に関連する１つ又はそれ以上のパフォーマンスパラメータ１８１６は、広告のクリック率、広告の品質、広告グループでの全ての広告に対して提供された広告のパーセンテージ、又は広告サービスプロバイダによって提供されたトップパフォーマンス広告に関連した他のいずれかのパフォーマンスパラメータを含むことができる。
【０１０１】
キーワード／広告要約セクション１８０８は、少なくとも２つのタブ１８１７を含み、これによってユーザは、キーワード又は広告に対して広告グループに関する広告キャンペーン情報をビューすることが可能になる。図１８では、広告グループに関する広告キャンペーン情報がキーワードの観点から表示され、図１９（以下に説明される）では、広告グループに関する広告キャンペーン情報が広告の観点から表示される。図１８を参照すると、キーワード／広告要約セクション１８０８は、広告グループ内のキーワードの１つ又はそれ以上の要約１８１８を含む。各要約１８１８は、キーワードに関する広告グループでの広告の検索リスティングにおける平均位置１８２０、キーワードに関する広告グループでの広告のインプレッションの数１８２２、キーワードに関する広告グループでの広告のＣＴＲ１８２４、キーワードに関する広告グループでの広告のクリックの数１８２６、キーワードに関する広告グループでの広告のＣＰＣ１８２８、キーワードに関する広告グループでの広告に費やした額１８３０、又は広告グループのキーワードに関する広告サービスプロバイダによって提供される他のいずれかのパフォーマンスパラメータを含むことができる。
【０１０２】
キーワード／広告セクション１８０８はまた、要約バー１８３２を含むことができる。要約バー１８３２は、キーワード／広告セクション１８０８に現在表示されている広告グループの全てのキーワード又は全キーワードに対する広告キャンペーン情報を含むことができる。例えば、要約バー１８３２は、特定のキーワードに関連した広告グループの広告の平均位置１８３４、インプレッションの集計数１８３６、平均ＣＴＲ１８３８、クリックの集計数１８４０、平均ＣＰＣ１８４２、特定のキーワードに関連した広告グループの広告に費やされた集計額１８４４、又は広告グループ内のキーワードの要約にリストされた他のいずれかのパフォーマンスパラメータの集計１８１８を含むことができる。
【０１０３】
ＧＵＩ１８００はまた、１つ又はそれ以上のキーワード動作ハイパーリンク１８４６を含むことができる。上述の広告キャンペーン及び広告グループ動作ハイパーリンクと同様に、ユーザは、１つ又はそれ以上のキーワードを選択し、１つ又はそれ以上のキーワード動作ハイパーリンクを起動して、キーワードの停止、キーワードの起動、キーワードの削除、異なる広告グループへのキーワードの移動、キーワードの複製、ウォッチリストへのキーワードの追加、ウォッチリストからのキーワードの除外、又はキーワードに対し実施できる他のいずれかの機能などの動作を実施することができる。
【０１０４】
図１９ａ、１９ｂ、及び１９ｃは、広告キャンペーン情報を表示し管理するためのＧＵＩの実施形態の実施例である。図１５と同様に、図１９ａのＧＵＩ１９００は、広告グループグラフセクション１９０２、広告グループ要約セクション１９０４、広告グループトップパフォーマンス広告セクション１９０６、及びキーワード／広告要約セクション１９０８を含むことができる。キーワード／広告要約セクション１９０８は、広告の観点から広告グループに関する広告キャンペーン情報を表示する。一般に、キーワード／広告要約セクション１９０８は、特定の広告に関連した広告キャンペーン情報の１つ又はそれ以上の要約１９１０を含む。要約１９１０は、広告の名前１９１２、広告グループでの全広告に関して提供された広告のパーセンテージ１９１４、広告の品質１９１５、広告のインプレッションの数１９１６、広告のＣＴＲ１９１７、広告のクリックの数１９１８、広告のＣＰＣ１９２０、広告に費やした額１９２２、又は広告に関する広告サービスプロバイダによって提供された別のパフォーマンスパラメータを含むことができる。
【０１０５】
図１９ｂは、広告キャンペーン情報を表示し管理するためのＧＵＩの別の実施形態である。図１９ｂのＧＵＩ１９０１は、広告グループグラフセクション１９２４、広告グループトップパフォーマンス広告セクション１９２６、及びキーワード／広告要約セクション１９２８を含むことができる。一般に、キーワード／広告セクション１９２８は、１つ又はそれ以上の広告要約１９３０を含む。各広告要約１９３０は、広告が承認されたかどうかに関する表示１９３２、広告サービスプロバイダがスポンサード検索を使用して広告を提供した時間数１９３４、広告検索プロバイダがコンテンツマッチに基づいて広告を提供した時間数１９３６、広告の品質のグラフィカル表現１９３８、又はインプレッションの数１９４０、ＣＴＲ１９４２、クリックの数１９４４、或いは広告キャンペーン管理システムによって提供された他のいずれかのパフォーマンスパラメータなどの広告に関連したパフォーマンスパラメータを含むことができる。
【０１０６】
図１９ｃは、広告を作成するためのＧＵＩ１９０３の別の実施形態である。１つの実施形態では、ＧＵＩ１９０３は、ＧＵＩ１９０１（図１９ｂ）のハイパーリンク１９４２などのハイパーリンクを起動した後に表示される。一般に、ＧＵＩ１９０３は、広告プレビューエリア１９４６、広告作成エリア１９４８、及び広告作成ヘルプエリア１９５０を含む。
【０１０７】
広告作成エリア１９４８は、広告を作成し広告プレビューエリア１９４６で該広告をプレビューする機能をユーザに提供する１つ又はそれ以上のフィールドを含むことができる。広告作成エリア１９４８のフィールドは、広告のタイトル１９５２、短い説明文１９５４、長い説明文１９５６、ランディングＵＲＬ１９５８、ディスプレイＵＲＬ１９６０、又は名前１９６２を挿入するためのフィールドを含むことができる。テキストが上述のフィールドのいずれかに挿入されると、広告キャンペーン管理システムは、広告プレビューエリア１９４６内に広告のプレビューを動的に作成する。広告作成エリア１９４８は更に、作成される広告に関連したキーワードをリストするキーワードリスティングエリア１９６４を含むことができる。
【０１０８】
図２０は、広告キャンペーン情報を表示し管理するためのＧＵＩの別の実施形態の実施例である。図１８及び１９ａと同様に、図２０のＧＵＩ２０００は、広告グループグラフセクション２００２、広告グループ要約セクション２００４、広告グループトップパフォーマンス広告セクション２００６、及びキーワード／広告要約セクション２００８を含むことができる。ＧＵＩ２０００はまた、フィルタバー２０１０を含むことができ、これによってユーザは、広告グループに関連したパフォーマンスパラメータ又は他のいずれかの広告キャンペーン情報に従って広告グループのキーワード要約をフィルタリングすることが可能になる。
【０１０９】
図２１は、広告キャンペーン情報を表示し管理するためのＧＵＩの別の実施形態の実施例である。図１８−２０と同様に、図２１のＧＵＩ２１００は、広告グループグラフセクション２１０２、広告グループ要約セクション２１０４、広告グループトップパフォーマンス広告セクション２１０６、及びキーワード／広告要約セクション２１０８を含むことができる。ＧＵＩ２１００はまた、検索バー２１１０を含むことができ、これによってユーザは、最高ＣＰＣ２１１４、平均位置２１１６、インプレッション数２１１８、ＣＴＲ２１２０、クリック数２１２２、ＣＰＣ２１２４、獲得数２１２５、ＣＰＡ２１２６、収入２１２８、ＲＯＡＳ２１３０、費やした額２１３２、又は広告サービスプロバイダによって提供される広告グループのキーワードに関する他のいずれかのパフォーマンスパラメータに基づいて１つ又はそれ以上のキーワード要約２１１２を検索することが可能になる。更に、検索バー２１１０によって、ユーザは、ユーザによって入力された値２１３４よりも大きい、小さい、又はこれに等しい１つ又はそれ以上のキーワード要約２１１２を検索することが可能になる。
【０１１０】
図２２及び２３は、広告キャンペーン情報を表示し管理するためのＧＵＩの付加的な実施形態の実施例である。図２２に示されるように、二次管理ＧＵＩ２２０２は、一次ＧＵＩのハイパーリンクの起動によって動的に作成することができる。二次管理ＧＵＩ２２０２は、平均位置、インプレッション数、ＣＴＲ、クリック数、獲得数、ＣＰＡ、収入、ＲＯＡＳ、支出、又は広告サービスプロバイダによって提供される他のいずれかのパフォーマンスパラメータなど、パフォーマンスパラメータのリスティング２２０６を含むことができる。更に、二次管理ＧＵＩ２２０２は、推定ツール２２０８と推定グラフ２２１０とを含むことができる。推定ツール２２０８によって、ユーザは、最高ＣＰＣの潜在値などの潜在的パフォーマンスパラメータ値２２１２を入力し、推定平均位置２２１４、推定月次インプレッション数２２１６、又は推定月次クリック数２２１８などの潜在的パフォーマンスパラメータの値に基づいて広告グループに対する他の推定パフォーマンスパラメータを動的に作成することができる。いずれかのポイントで、ユーザが潜在的パフォーマンスパラメータ入力の値２２１２を適切なパフォーマンスパラメータに割り当てられた新しい値として推定ツール２２０８にセーブしようとする場合、ユーザは、セーブ２２１９ボタンを実行することができる。
【０１１１】
１つの実施形態では、推定グラフ２２１０は、最高ＣＰＣ設定（入札）に対するインプレッションの推定数２２２０及びクリックの推定数２２２２の例図と、現在の入札推定指標２２２４とを含む。通常、インプレッションの推定数２２２０及びクリックの推定数２２２２は、広告グループの現在のパフォーマンスパラメータ設定の関数である。現在の入札推定指標２２２４は、ユーザの現在の入札が、インプレッションの推定数２２２０及びクリックの推定数２２２２に対して位置付けられている場所を示している。ユーザが推定ツール２２０８を使用して広告グループに対する新しい推定パフォーマンスパラメータを作成すると、現在の入札推定指標２２２４は、推定されたパフォーマンスパラメータに従ってインプレッションの推定数２２２０及びクリックの推定数２２２２に対してシフトする。
【０１１２】
図２４ａ及び２４ｂは、広告キャンペーン情報を表示し、管理し、更に最適化するためのＧＵＩの付加的な実施形態の実施例である。一般に、図２４ａのＧＵＩ２４００によって、ユーザは、広告グループ内のキーワードに対して種々のパフォーマンスパラメータを設定することが可能になる。一般にＧＵＩ２４００は、パフォーマンスセクション２４０２、推定ツール２４０４、推定グラフ２４０６、及びプレビューセクション２４０８を含むことができる。パフォーマンスセクション２４０２は、平均位置、インプレッションの数、ＣＴＲ、クリック数、ＣＰＣ、獲得数、ＣＰＡ、収入、ＲＯＡＳ、費やした額、又は広告グループのキーワードに関する広告サービスプロバイダによって提供される他のいずれかのパフォーマンスパラメータなど、広告グループのキーワードに関連したパフォーマンスパラメータの１つ又はそれ以上の数値的リスティングを含むことができる。
【０１１３】
推定ツール２４０４によって、ユーザは、最高ＣＰＣの潜在値のような潜在的パフォーマンスパラメータ値２４１０を入力し、推定平均位置２４１２、推定月次インプレッション数２４１４、又は推定月次クリック数２４１６などの潜在的パフォーマンスパラメータの値に基づいて、広告グループのキーワードに対して推定パフォーマンスパラメータを動的に作成することが可能になる。
【０１１４】
１つの実施形態では、推定グラフ２４０６は、最高ＣＰＣ設定に対するインプレッションの推定数２４１８及びクリックの推定数２４２０の例図と、現在の入札推定指標２４２２とを含む。現在の入札推定指標２４２２は、ユーザの現在の入札が、インプレッションの推定数２４１８及びクリックの推定数２４２０に対して位置付けられている場所を示している。ユーザが推定ツール２４０４を使用して広告グループのキーワードに対して新しい推定パフォーマンスパラメータ値を作成すると、現在の入札推定指標２４２２は、推定されたパフォーマンスパラメータに従ってインプレッションの推定数２４１８及びクリックの推定数２４２０に対してシフトする。
【０１１５】
プレビューセクション２４０８は、キーワードに固定された１つ又はそれ以上の広告を表示する。通常、プレビューセクション２４０８は、ユーザにキーワードから広告を取り除く機能を提供するなど、プレビューセクションに表示された広告に１つ又はそれ以上の動作２４２４を実施する機能を提供する。
【０１１６】
図２４ｂは、広告グループ内のキーワードに対する種々のパフォーマンスパラメータをユーザが設定することを可能にするＧＵＩ２４０１の別の実施形態の実施例である。図２４ａのＧＵＩ２４００と同様に、ＧＵＩ２４０１は、上述のようにパフォーマンスセクション２４２６、推定ツール２４２８、及び推定グラフ２４３０を含むことができる。ＧＵＩ２４０１は更に、最上位配置提案エリア２４３２を含むことができる。最上位配置提案エリア２４３２は、検索結果においてプレミアム位置を取得する広告をもたらすはずの値の範囲を含む推薦を広告主に提供する。プレミアム位置の実施例は、ウェブページの先頭付近又は検索結果の第１ページ上の位置など、検索結果における注目される位置を含む。１つの実施形態では、最上位配置提案エリア２４３２の推薦は、パフォーマンスセクション２４２６にリストされたような現在のパフォーマンスパラメータ、及び上述の予想コンポーネント１８５（図１）から取得された予想に基づいて計算される。
【０１１７】
図２５−３１は、広告キャンペーン情報を含むレポートを表示しカスタマイズするためのＧＵＩの種々の実施形態である。図１に関して上述されたように、キャンペーン管理システムは、チャンネルサーバ１５０、ポッド収集サーバ１３５、及びサードパーティ分析フィードコンポーネント１８０を含む種々のソースから広告キャンペーン情報を受け取る機能を提供する。キャンペーン管理システムのＢＩＧ構成要素１５５は、このデータが正確且つタイムリーな方法で確実に受け取られるようにし、ポッド１００に入って来る生データインプレッションに関する集計及びフィルタリングを実施することができる。受け取りデータをフィルタリングし受け取った後、キャンペーン管理システムは、複数の広告サービスプロバイダから単一の広告主アカウントに関連する全広告キャンペーン情報に関するレポートを生成することができる。
【０１１８】
図２５−３１を参照すると、通常ＧＵＩ２５００は、グラフセクション２５０２、レポートタイプを選択するためのメニュー２５０４、レポートをビューするためにアカウントレベルを選択するドロップダウンメニュー２５０６、グラフのタイプを選択するための１つ又はそれ以上の起動エリア２５０８、グラフセクション２５０２の左軸をプロットするためにパフォーマンスパラメータを選択するドロップダウンメニュー２５１０、グラフセクション２５０２の右軸をプロットするために値を選択するドロップダウンメニュー２５１２、グラフセクション２５０２に示されたグラフを更新するための更新動作エリア２５１４、プロットされたグラフ２５０２に関する１つ又はそれ以上のパフォーマンスパラメータの数値的リスティング２５１６、及び種々のフォーマットで広告キャンペーン情報をダウンロードするためのダウンロード動作エリア２５１８を含むことができる。
【０１１９】
グラフセクション２５０２の例図を生成するために、ユーザは、レポートタイプ２５０４、アカウントレベル２５０６、グラフタイプ２５０８、及び左軸２５１０又は右軸２５１２のいずれかの値を選ぶ必要がある。レポートタイプ２５０４は、パフォーマンス要約レポート、日次要約レポート、日次予算計上レポート、名前毎の広告キャンペーンの要約レポート、名前毎の広告グループ要約レポート、名前毎の広告要約レポート、或いは広告主又は広告サービスプロバイダによって定められたレポートの他のいずれかのタイプなど、グラフセクション２５０２に示されるレポートのタイプを定める。レポートタイプの実施例は、２００６年４月２８日に出願された名称「Ａｄｖｅｒｔｉｓｅｒ  Ｒｅｐｏｒｔｉｎｇ  Ｓｙｓｔｅｍ  ａｎｄ  Ｍｅｔｈｏｄ  ｉｎ  ａ  Ｎｅｔｗｏｒｋｅｄ  Ｄａｔａｂａｓｅ  Ｓｅａｒｃｈ  Ｓｙｓｔｅｍ（ネットワーク接続されたデータベース検索システムにおける広告主レポーティングシステム及び方法）」の米国特許出願第１１／４１３，６９９号（代理人整理番号１２７２９／１３６）において詳細に説明されており、この全体は引用により本明細書に組み込まれる。レポートタイプ２５０４は、ユーザがレポートをビューするために選択するアカウントレベル２５０６によって更に絞り込まれる。通常、レポートは、広告主アカウントレベル、広告キャンペーンレベル、広告グループレベル、或いは広告主又は広告サービスプロバイダによって定められる広告キャンペーン情報の他のいずれかのグループ化に基づいてビューすることができる。
【０１２０】
グラフセクション２５０２の例図をカスタマイズするために、ユーザは、折れ線グラフ、棒グラフ、円グラフ、又は当該技術分野で公知のグラフの他のいずれかのタイプとしてレポートをビューするセレクタ２５０８を選ぶことができる。更にユーザは、ある時間期間に対する左軸２５１０に関してグラフ表示するためのパフォーマンスパラメータを選択し、ある時間期間に対する右軸２５１２に関してグラフ表示するためのパフォーマンスパラメータを選択することによって、グラフセクション２５０２の例図をカスタマイズすることができる。左軸２５１０又は右軸２５１２にグラフ表示されるパフォーマンスパラメータは、インプレッションの数、クリック数、ＣＰＣ、コンバージョンの数、コンバージョン率、ＣＰＡ、費やした額、収入、ＲＯＡＳ、或いは広告主アカウント、広告キャンペーン、広告グループ、広告、又は広告主もしくは広告サービスプロバイダによって定められる情報の他のグループ化に関連した広告サービスプロバイダによって提供される他のいずれかのパフォーマンスパラメータとすることができる。
【０１２１】
幾つかの実施形態では、図３−３１に関して上述したＧＵＩの各々は動的であり、カスタマイズすることができる。例えばユーザは、広告キャンペーン管理システムと対話して、そのアカウントに関連した幾つかのオプションをターンオン及びターンオフすることができる。この結果、広告キャンペーン管理システムは、無効にされている広告キャンペーン管理システムのオプションに関連した情報を取り除いたカスタマイズＧＵＩをユーザに表示することができる。例えば、ユーザが広告キャンペーン管理システムで最適化機能をターンオフする場合、広告キャンペーン管理システムは、当該ユーザに提示されたＧＵＩから最適化に関する全てのパフォーマンスパラメータ又はオプションを取り除くこともできる。
【０１２２】
他の実施形態では、広告キャンペーン管理システムは更に、どのパフォーマンスパラメータをユーザに表示するかをユーザが定める機能を提供することができる。例えばユーザは、広告キャンペーン管理システムがユーザにＧＵＩで提示するアカウントに関するパフォーマンスパラメータどれにするか選択することができ、或いは、ユーザは、パフォーマンスパラメータの種々のタイプをどのようにユーザに提示するかに関する順番を選択することができる。カスタマイズ可能なＧＵＩによって、広告キャンペーン管理システムは、ユーザによって定められたようなユーザに最も関係のある情報をユーザに提供することができる。
【０１２３】
図３２は、広告キャンペーン情報の表示を可能にするためのシステム３２００の１つの実施形態のブロック図である。システム３２００は通常、ネットワーク３２０６を通じてユーザデバイス３２０４と通信する１つ又はそれ以上のサーバ３２０２を含む広告サービスプロバイダ（広告キャンペーン管理システム）を含む。一般に、広告サービスプロバイダ３２０２は、上述のように、ユーザアカウント、ユーザアカウントに関連した１つ又はそれ以上の広告キャンペーン、広告キャンペーンに関連した１つ又はそれ以上の広告グループ、並びに広告グループに関連したキーワード及び広告情報に従って、広告キャンペーン情報をアカウント階層に編成する。広告キャンペーン情報を編成した後、広告サービスプロバイダ３２０２は、１つ又はそれ以上の広告グループに少なくとも部分的に基づいて表示するために広告キャンペーン情報の少なくとも一部をユーザ３２０４に送る。
【０１２４】
広告サービスプロバイダ３２０２の各サーバは、プロセッサ３２０８、プロセッサ３２０８と通信するネットワークインタフェース３２１０、及びプロセッサ３２０８と通信するメモリユニット３２１２を含むことができる。通常、メモリユニット３２１２は、少なくとも広告キャンペーン情報を記憶する。広告キャンペーン情報は、ユーザアカウント、広告キャンペーン、及び広告グループ間の関係に関する情報；ユーザアカウント、広告キャンペーン、及び広告グループに関連したパフォーマンスパラメータ；又はユーザアカウント、広告キャンペーン、及び広告グループに関連した広告及びキーワードを含むことができる。
【０１２５】
プロセッサ３２０８は通常、メモリユニット３２１２内に記憶されている広告キャンペーン情報を広告主が定める１つ又はそれ以上の広告グループに編成する目的の１つ又はそれ以上のオペレーションを実行するように動作可能である。上述のように、広告グループは、同様の方式で処理される広告及び広告のパラメータを含む概念上の区画又はコンテナと考えることができる。
【０１２６】
広告キャンペーン情報を１つ又はそれ以上の広告グループに編成した後、広告サービスプロバイダ３２０２は、１つ又はそれ以上の広告グループに少なくとも部分的に基づいて表示するために、広告キャンペーン情報の少なくとも一部をネットワークインタフェース３２１０を介してユーザデバイス３２０４に送ることができる。１つの実施形態では、１つ又はそれ以上のハイパーテキストページが、インターネットブラウザ、スタンドアロン・アプリケーション、又は当該技術分野で公知の他のいずれかのデバイスで実行される場合、広告サービスプロバイダ３２０２は、図３−３１などのグラフィカルユーザインタフェースを含む１つ又はそれ以上のハイパーテキストページを送る。
【０１２７】
図３３は、広告キャンペーン情報の表示を可能にするための方法の１つの実施形態のフロー図である。本方法３３００は、広告サービスプロバイダが広告キャンペーン情報を１つ又はそれ以上の広告グループに編成する段階３３０２で始まる。広告プロバイダは、検索戦術、広告キャンペーン情報のパフォーマンスパラメータ、又は広告グループに関係する広告サービスプロバイダによって提供される他のいずれかのパラメータに基づいて広告主が定める広告キャンペーン情報を１つ又はそれ以上の広告グループに編成することができる。
【０１２８】
次いで、広告サービスプロバイダは、１つ又はそれ以上の広告グループの少なくとも一部に基づく広告キャンペーン情報をユーザに表示する３３０４。広告キャンペーン情報は、ユーザデバイス上のインターネットブラウザで実行される図３−３１などのＧＵＩに表示され、又はユーザデバイス上で実行されるスタンドアロン・アプリケーションで表示され、或いは当該技術分野で公知の他のいずれかのデバイス上に表示することができる。
【０１２９】
図３４は、広告キャンペーン情報を管理するためのシステムの１つの実施形態のブロック図である。図３２のシステムと同様に、本システムは通常、ネットワーク３４０６を通じてユーザデバイス３４０４と通信する１つ又はそれ以上のサーバ３４０２を備える広告サービスプロバイダ（広告キャンペーン管理システム）を含む。上記で説明されたように、広告サービスプロバイダは、プロセッサ３４０８、プロセッサ３４０８と通信するネットワークインタフェース３４１０、及びプロセッサ３４０８と通信するメモリユニット３４１２を含むことができる。
【０１３０】
一般に、広告サービスプロバイダ３４０２は、プロセッサ３４０８上で動作する１つ又はそれ以上のプログラムを実行し、メモリユニット３４１２に記憶されている広告キャンペーン情報を広告主が定める１つ又はそれ以上の広告グループに編成する。
【０１３１】
１つの実施形態では、広告サービスプロバイダ３４０２は、１つ又はそれ以上の広告グループに編成された広告キャンペーン情報の少なくとも一部をネットワークインタフェース３４１０経由でネットワーク３４０６を通じてユーザデバイス３４０４に送る。ユーザデバイス３４０４は、インターネットブラウザ、又はスタンドアロン・アプリケーション、或いは当該技術分野で公知のアプリケーションの他のいずれかのタイプを使用して、図３−３１などのユーザインタフェース（「ＵＩ」）で受け取られた広告キャンペーン情報の少なくとも一部をユーザに表示し、１つ又はそれ以上の広告グループの少なくとも１つに少なくとも部分的に基づいて広告キャンペーン情報をユーザが修正できるように動作可能である。例えばユーザは、広告グループに関連した最高ＣＰＣを修正；広告グループに関連したキーワードを追加又は削除；広告グループに関連した広告を追加又は削除；広告グループに関連したビジネス目的を修正；広告グループに関連した検索戦術を修正；広告グループに関連した予算制約を修正；或いは広告グループに関連した他のいずれかのパフォーマンスパラメータを修正することができる。
【０１３２】
別の実施形態では、ユーザデバイス３４０２は、１つ又はそれ以上の広告グループに編成された広告キャンペーン情報の少なくとも一部をネットワークインタフェース３４１０のアプリケーションプログラムインタフェース（「ＡＰＩ」）経由でネットワーク３４０６を通じてユーザデバイス３４０４に送る。ユーザデバイス３４０４は、広告サービスプロバイダ３４０２のＡＰＩと通信するように動作可能なアプリケーションを使用して、広告キャンペーン情報を受け取り、上述のように１つ又はそれ以上の広告グループの少なくとも１つに少なくとも部分的に基づいて広告キャンペーン情報を修正するように動作可能である。
【０１３３】
図３５は、広告キャンペーン情報を管理するための方法の１つの実施形態のフロー図である。本方法３５００は、広告サービスプロバイダが広告キャンペーン情報を１つ又はそれ以上の広告グループに編成する段階３５０２で始まる。次に、広告キャンペーン情報は、上述のように１つ又はそれ以上の広告グループに少なくとも部分的に基づいて修正される３５０４。
【０１３４】
図３６は、広告キャンペーン情報を管理するための方法の別の実施形態のフロー図である。本方法３６００は、広告サービスプロバイダが広告キャンペーン情報を１つ又はそれ以上の広告グループに編成する段階３６０２で始まる。広告キャンペーン情報の少なくとも一部は、１つ又はそれ以上の広告グループの少なくとも１つに少なくとも部分的に基づいて図３−３１などのように表示され３６０４、表示された広告キャンペーン情報の少なくとも一部は、上述のように修正される３５０６。
【０１３５】
図３７は、広告キャンペーン情報を管理するための方法の別の実施形態のフローチャートである。本方法３７００は、広告サービスプロバイダが広告キャンペーン情報を１つ又はそれ以上の広告グループに編成する段階３７０２で始まる。１つ又はそれ以上の広告グループの少なくとも１つに少なくとも部分的に基づいて広告キャンペーン情報の少なくとも一部を修正するための命令が、アプリケーションプログラムインタフェース（「ＡＰＩ」）を介して受け取られ３７０４、広告キャンペーン情報の少なくとも一部が、受け取られた命令に基づいて修正される３７０６。
【０１３６】
図３８は、広告キャンペーン情報を最適化するためのシステムの１つの実施形態のブロック図である。図３２及び３４のシステムと同様に、本システムは通常、ネットワーク３８０６を通じてユーザデバイス３８０４と通信する１つ又はそれ以上のサーバ３８０２を備えた広告サービスプロバイダ（広告キャンペーン管理システム）を含む。上記で説明されたように、広告サービスプロバイダは、プロセッサ３８０８、プロセッサ３８０８と通信するネットワークインタフェース３８１０、及びプロセッサ３８０８と通信するメモリユニット３８１２を含むことができる。
【０１３７】
一般に、広告サービスプロバイダ３８０２は、プロセッサ３８０８上で動作する１つ又はそれ以上のプログラムを実行し、メモリユニット３８１２に記憶されている広告キャンペーン情報を広告主が定める１つ又はそれ以上の広告グループに編成する。
【０１３８】
１つの実施形態では、広告サービスプロバイダは、１つ又はそれ以上の広告グループに編成された広告キャンペーン情報の少なくとも一部をネットワークインタフェース３８１０経由でネットワーク３８０６を通じてユーザデバイス３８０４に送る。ユーザデバイス３８０４は、インターネットブラウザ、又はスタンドアロン・アプリケーション、或いは当該技術分野で公知のアプリケーションの他のいずれかのタイプを使用して、図３−３１などのユーザインタフェース（「ＵＩ」）で受け取られた広告キャンペーン情報の少なくとも一部をユーザに表示し、１つ又はそれ以上の広告グループの少なくとも１つに少なくとも部分的に基づいて広告キャンペーン情報のパフォーマンスをユーザが最適化できるように動作可能である。例えばユーザは、潜在ＣＰＣ値又は潜在ビジネス目的設定に基づいてパフォーマンスパラメータの推定値を動的に作成し、更に各グループに対する推定値に基づいて実際のパフォーマンスパラメータ又はビジネス目的設定を変更することができる。
【０１３９】
別の実施形態では、ユーザデバイス３８０２は、１つ又はそれ以上の広告グループに編成された広告キャンペーン情報の少なくとも一部をネットワークインタフェース３８１０のアプリケーションプログラムインタフェース（「ＡＰＩ」）経由でネットワーク２８０６を通じてユーザデバイス３８０４に送る。ユーザデバイス３８０４は、広告サービスプロバイダ３８０２のＡＰＩと通信するように動作可能なアプリケーションを使用して、広告キャンペーン情報を受け取り、上述のように１つ又はそれ以上の広告グループの少なくとも１つに少なくとも部分的に基づいて広告キャンペーン情報のパフォーマンスを最適化するように動作可能である。
【０１４０】
図３９は、広告キャンペーン情報を最適化するための方法の１つの実施形態のフロー図である。本方法３９００は、広告サービスプロバイダが広告キャンペーン情報を１つ又はそれ以上の広告グループに編成する段階３９０２で始まる。広告サービスプロバイダは、１つ又はそれ以上の広告グループの少なくとも一部に関する予想情報を取得し３９０４、広告キャンペーン情報は、前述のように１つ又はそれ以上の広告グループの少なくとも１つのパフォーマンスを最適化するために予想情報に少なくとも部分的に基づいて修正される３９０６。
【０１４１】
図４０は、広告キャンペーン情報を最適化するための方法の別の実施形態のフロー図である。本方法４０００は、広告サービスプロバイダが広告キャンペーン情報を１つ又はそれ以上の広告グループに編成する段階４００２で始まる。広告キャンペーン情報の少なくとも一部は、１つ又はそれ以上の広告グループの少なくとも１つに少なくとも部分的に基づいて表示され４００４、広告サービスプロバイダは、表示された情報の少なくとも一部に関する予想情報を取得する４００６。次いで、表示された情報は、前述のように１つ又はそれ以上の広告グループの少なくとも１つのパフォーマンスを最適化するために予想情報に少なくとも部分的に基づいて修正される４００８。
【０１４２】
図４１は、広告キャンペーン情報を最適化するための方法の別の実施形態のフローチャートである。本方法４１００は、広告サービスプロバイダが広告キャンペーン情報を１つ又はそれ以上の広告グループに編成する段階４１０２で始まる。１つ又はそれ以上の広告グループの少なくとも一部に関する予想情報が取得され４１０４、１つ又はそれ以上の広告グループの少なくとも１つのパフォーマンスを最適化するために予想情報に少なくとも部分的に基づいて広告キャンペーン情報の少なくとも一部を修正するための命令が、アプリケーションプログラムインタフェース（「ＡＰＩ」）を介して受け取られる４１０６。次いで、広告キャンペーン情報の少なくとも一部は、受け取られた命令に基づいて修正される４１０８。
【０１４３】
図４２は、広告キャンペーン情報をレポートするためのシステムの１つの実施形態のブロック図である。図３２、３４、及び３８のシステムと同様に、本システムは通常、ネットワーク４２０６を通じてユーザデバイス４２０４と通信する１つ又はそれ以上のサーバ４２０２を備える広告サービスプロバイダ（広告キャンペーン管理システム）を含む。しかしながら、広告キャンペーン情報をレポートするためのシステムは更に、広告キャンペーン管理システム又は別のサードパーティによって提供される分析フィード４２０７を含む。上記で説明されたように、広告サービスプロバイダは、プロセッサ４２０８、プロセッサ４２０８と通信するネットワークインタフェース４２１０、及びプロセッサ４２０８と通信するメモリユニット４２１２を含むことができる。
【０１４４】
一般に、広告サービスプロバイダ４２０２は、プロセッサ４２０８上で動作する１つ又はそれ以上のプログラムを実行し、広告サービスプロバイダ内のコンポーネント及び少なくとも１つの分析フィード４２０７から広告キャンペーン情報を収集し、広告キャンペーン情報をメモリユニット４２１２内に記憶する。広告サービスプロバイダ４２０２は、プロセッサ４２０８上で動作する１つ又はそれ以上の付加的なプログラムを実行し、メモリユニット４２１２に記憶されている広告キャンペーン情報を１つ又はそれ以上の広告グループに編成する。
【０１４５】
１つの実施形態では、広告サービスプロバイダ４２０２は、ユーザデバイス４２０４からネットワークインタフェース４２１０を介して、１つ又はそれ以上の広告グループに少なくとも部分的に基づいてレポートをカスタマイズする方法に関する命令を受け取る。これに応答して、広告サービスプロバイダ４２０２は、プロセッサ４２０８上で動作する１つ又はそれ以上のプログラムを実行して、ユーザデバイス４２０４から受け取られた命令に基づいてカスタマイズされたレポートを生成し、カスタマイズされたレポートの少なくとも一部をネットワークインタフェース４２１０経由でネットワーク４２０６を通じてユーザデバイス４２０４に送る。ユーザデバイスは、インターネットブラウザ、又はスタンドアロン・アプリケーション、或いは当該技術分野で公知のアプリケーションの他のいずれかのタイプを使用して、１つ又はそれ以上の広告グループの少なくとも１つに少なくとも部分的に基づいて図３−３１などのユーザインタフェース（「ＵＩ」）で受け取られたカスタマイズされたレポートの少なくとも一部を表示する。
【０１４６】
別の実施形態では、広告サービスプロバイダ４２０２は、１つ又はそれ以上の広告グループに少なくとも部分的に基づいてレポートをカスタマイズする方法に関する命令をユーザデバイス４２０４からネットワークインタフェース４２１０のアプリケーションプログラムインタフェース（「ＡＰＩ」）を介して受け取る。これに応答して、広告サービスプロバイダ４２０２は、プロセッサ４２０８上で動作する１つ又はそれ以上のプログラムを実行して、ユーザデバイス４２０４から受け取られた命令に基づいてカスタマイズされたレポートを生成し、カスタマイズされたレポートの少なくとも一部をネットワークインタフェース４２１０のＡＰＩ経由でネットワーク４２０６を通じてユーザデバイス４２０４に送る。ユーザデバイスは、広告サービスプロバイダ４２０２のネットワークインタフェース４２１０のＡＰＩと通信するように動作可能なアプリケーションを使用して、カスタマイズされたレポートの一部を受け取り、１つ又はそれ以上の広告グループの少なくとも１つに少なくとも部分的に基づいて受け取られたカスタマイズされたレポートの少なくとも一部を表示する。
【０１４７】
図４３は、広告キャンペーン情報をレポートするための方法の１つの実施形態のフロー図である。本方法４３００は、広告サービスプロバイダ（広告キャンペーン管理システム）が広告サービスプロバイダ内のコンポーネント及び少なくとも１つの分析フィードから広告キャンペーン情報を収集する段階４３０２で始まる。広告サービスプロバイダは、広告キャンペーン情報を１つ又はそれ以上の広告グループに編成し４３０４、１つ又はそれ以上の広告グループの少なくとも１つに少なくとも部分的に基づいたレポートのカスタマイズに関する命令を受け取る４３０６。広告サービスプロバイダは、受け取られた命令に基づいてレポートを生成し、上述のように１つ又はそれ以上の広告グループの少なくとも１つに少なくとも部分的に基づいてカスタマイズされたレポートの少なくとも一部を表示する４３０８。
【０１４８】
図４４は、広告キャンペーン情報をレポートするための方法の別の実施形態のフローチャートである。本方法４４００は、広告サービスプロバイダ（広告キャンペーン管理システム）が広告サービスプロバイダ内のコンポーネント及び少なくとも１つの分析フィードから広告キャンペーン情報を収集する段階４４０２で始まる。広告サービスプロバイダは、広告キャンペーン情報を１つ又はそれ以上の広告グループに編成し４４０４、１つ又はそれ以上の広告グループの少なくとも１つに少なくとも部分的に基づくレポートのカスタマイズに関する命令が、アプリケーションプログラムインタフェース（「ＡＰＩ」）を介して受け取られる４４０６。次に、カスタマイズされたレポートは、ＡＰＩを介してユーザデバイスに送られる４４０８。
【０１４９】
図４５は、ネットワーク４５０７を通じて広告キャンペーン管理システム４５０６のアプリケーションプログラムインタフェース（「ＡＰＩ」）４５０４と対話するためのシステム４５０２の１つの実施形態のブロック図である。通常、システム４５０２は、プロセッサ４５０８、プロセッサ４５０８と通信するネットワークインタフェース４５１０、及びプロセッサ４５０８と通信するメモリユニット４５１２を含む。
【０１５０】
一般に、プロセッサ４５０８は、メモリユニット４５１２内に記憶されている１つ又はそれ以上の命令を実行して、ネットワークインタフェース４５１０を介して広告キャンペーン管理システム４５０６のＡＰＩ４５０４と通信するように動作可能である。１つの実施形態では、プロセッサ４５０８は、ＡＰＩ４５０４と通信するための命令を実行して、広告キャンペーン情報を１つ又はそれ以上の広告グループに編成する方法を定めるコマンドを送ることができる。別の実施形態では、プロセッサ４５０８は、ＡＰＩ４５０５と通信するための命令を実行して、１つ又はそれ以上の広告グループの少なくとも１つに少なくとも部分的に基づいて１つ又はそれ以上の広告グループに編成された広告キャンペーン情報を修正するための命令を広告キャンペーン管理システム４５０６に送ることができる。更に別の実施形態では、プロセッサ４５０８は、ＡＰＩ４５０５と通信する命令を実行し、１つ又はそれ以上の広告グループに編成された広告キャンペーン情報に関する予想情報を受け取り、予想情報に基づいて少なくとも１つの広告グループを修正する命令を広告キャンペーン管理システム４５０６に送り、１つ又はそれ以上の広告グループのパフォーマンスを最適化することができる。更に別の実施形態では、プロセッサ４５０８は、ＡＰＩ４５０４と通信するための命令を実行して、１つ又はそれ以上の広告グループに編成された広告キャンペーン情報を含むレポートのカスタマイズに関する情報を広告キャンペーン管理システム４５０６に送り、広告キャンペーン管理システム４５０６のＡＰＩ４５０４を介してカスタマイズされたレポートを受け取ることができる。
【０１５１】
図１及び２に関して説明されたような開示される広告キャンペーン管理システム、図３−３１に関して説明されたようなグラフィカルユーザインタフェース、及び図３２−４５に関して説明されたようなシステム及び方法は、ユーザインタフェース及びアプリケーションプログラムインタフェースを広告キャンペーンシステムに提供し、広告の大きなグループをフレキシブルに、動的に、且つ効率良く管理する機能を提供する。ユーザアカウントレベル又は個々の広告レベルで広告キャンペーン情報を管理する機能だけを提供する従来のユーザインタフェース及びアプリケーションプログラムインタフェースとは対照的に、ユーザは、ユーザによって定められるアカウントレベルで広告キャンペーン情報を管理することができる。ユーザは、同様の方式で広告キャンペーン管理システムによって処理されることになる広告に対する広告キャンペーン情報の固有のグループ（広告グループ）を定める能力が与えられる。例えばユーザは、検索戦術、パフォーマンスパラメータ、ユーザのデモグラフィック、製品のファミリー、又はユーザによって要求されるほとんど全ての他のパラメータ毎に広告をグループ化することができる。ユーザがその固有の広告グループを定義できることで、広告キャンペーン管理システムは、より有用な情報をユーザに提供することができ、これによってユーザは、個々の広告主に最適な方式で広告キャンペーン情報の表示、管理、最適化、或いはレポートのビューを行うことが可能になる。
【０１５２】
従って、上記の詳細な説明は限定ではなく例証とみなされるものとし、均等物全てを含む添付の請求項は本発明の精神及び範囲を定義することを意図している点を理解されたい。
【図面の簡単な説明】
【０１５３】
【図１】広告キャンペーン管理システムのポッドの１つの実施形態を示す図である。
【図２】図１の広告キャンペーン管理システムによる広告キャンペーン情報のメンテナンスのモデルの１つの実施形態を示すブロック図である。
【図３】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図４】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図５】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図６】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図７】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図８】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図９】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図１０】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図１１】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図１２】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図１３】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図１４】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図１５】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図１６】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図１７】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図１８】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図１９】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図２０】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図２１】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図２２】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図２３】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図２４】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図２５】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図２６】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図２７】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図２８】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図２９】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図３０】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図３１】広告キャンペーン情報の表示、管理、最適化、又はビュー及びレポートのカスタマイズの機能をユーザに提供する図１のキャンペーン管理システムのグラフィカルユーザインタフェース（「ＧＵＩ」）の実施形態の実施例を示す図である。
【図３２】広告キャンペーン情報の表示を可能にするためのシステムの１つの実施形態のブロック図である。
【図３３】広告キャンペーン情報の表示を可能にするための方法の１つの実施形態のフロー図である。
【図３４】広告キャンペーン情報を管理するためのシステムの１つの実施形態のブロック図である。
【図３５】広告キャンペーン情報を管理するための方法の１つの実施形態のフロー図である。
【図３６】広告キャンペーン情報を管理するための方法の別の実施形態のフロー図である。
【図３７】広告キャンペーン情報を管理するための方法の別の実施形態のフロー図である。
【図３８】広告キャンペーン情報を最適化するためのシステムの１つの実施形態のブロック図である。
【図３９】広告キャンペーン情報を最適化するための方法の１つの実施形態のフロー図である。
【図４０】広告キャンペーン情報を最適化するための方法の別の実施形態のフロー図である。
【図４１】広告キャンペーン情報を最適化するための方法の別の実施形態のフロー図である。
【図４２】広告キャンペーン情報をレポートするためのシステムの１つの実施形態のブロック図である。
【図４３】広告キャンペーン情報をレポートするための方法の１つの実施形態のフロー図である。
【図４４】広告キャンペーン情報をレポートするための方法の別の実施形態のフロー図である。
【図４５】広告キャンペーン管理システムのアプリケーションプログラムインタフェース（「ＡＰＩ」）と対話するためのシステムの１つの実施形態のブロック図である。
【符号の説明】
【０１５４】
３００  グラフィカルユーザインタフェース
３０２  警報セクション
３０４  アカウント要約パフォーマンスセクション
３０６  広告キャンペーン／広告グループ要約セクション
３０８  １つ又はそれ以上の通知
３１０  ドロップダウンメニュー
３１２  グラフ
３１４  パフォーマンスパラメータの数値的リスティング
３１６  広告キャンペーン及び広告グループの１つ又はそれ以上の要約
３１７  ドロップダウンメニューフィルタ
３２０  広告キャンペーンの名前
３２２  広告グループの名前
３２３  トップパフォーマンス広告
３２４  広告キャンペーン及び広告グループの検索戦術
３２６  広告グループ内の広告のインプレッションの数
３２８  広告グループのクリック率（「ＣＴＲ」）
３３０  広告グループ内の広告のクリックの数
３３２  広告グループ内の広告のクリック単価（「ＣＰＣ」）
３３４  広告グループ内の広告にユーザによって費やした額
３３６  日付範囲選択ツール
【図１】
2009503689.tif 000003
【図２】
2009503689.tif 000004
【図３】
2009503689.tif 000005
【図４】
2009503689.tif 000006
【図５Ａ】
2009503689.tif 000007
【図５Ｂ】
2009503689.tif 000008
【図６】
2009503689.tif 000009
【図７】
2009503689.tif 000010
【図８Ａ】
2009503689.tif 000011
【図８Ｂ】
2009503689.tif 000012
【図９】
2009503689.tif 000013
【図１０】
2009503689.tif 000014
【図１１】
2009503689.tif 000015
【図１２】
2009503689.tif 000016
【図１３】
2009503689.tif 000017
【図１４】
2009503689.tif 000018
【図１５】
2009503689.tif 000019
【図１６】
2009503689.tif 000020
【図１７】
2009503689.tif 000021
【図１８】
2009503689.tif 000022
【図１９Ａ】
2009503689.tif 000023
【図１９Ｂ】
2009503689.tif 000024
【図１９Ｃ】
2009503689.tif 000025
【図２０】
2009503689.tif 000026
【図２１】
2009503689.tif 000027
【図２２】
2009503689.tif 000028
【図２３】
2009503689.tif 000029
【図２４Ａ】
2009503689.tif 000030
【図２４Ｂ】
2009503689.tif 000031
【図２５】
2009503689.tif 000032
【図２６】
2009503689.tif 000033
【図２７】
2009503689.tif 000034
【図２８】
2009503689.tif 000035
【図２９】
2009503689.tif 000036
【図３０】
2009503689.tif 000037
【図３１】
2009503689.tif 000038
【図３２】
2009503689.tif 000039
【図３３】
2009503689.tif 000040
【図３４】
2009503689.tif 000041
【図３５】
2009503689.tif 000042
【図３６】
2009503689.tif 000043
【図３７】
2009503689.tif 000044
【図３８】
2009503689.tif 000045
【図３９】
2009503689.tif 000046
【図４０】
2009503689.tif 000047
【図４１】
2009503689.tif 000048
【図４２】
2009503689.tif 000049
【図４３】
2009503689.tif 000050
【図４４】
2009503689.tif 000051
【図４５】
2009503689.tif 000052
【国際調査報告】
2009503689.tif 000053